(57)【特許請求の範囲】
【請求項１】
図柄変動ゲームが大当りとなることへの可能性を示唆する予告演出の演出内容を、複数種類の演出内容の中から図柄変動ゲームの演出内容に応じて決定する演出内容決定手段と、当該演出内容決定手段が決定した演出内容で予告演出を演出実行手段に実行させる演出制御手段を備えた遊技機において、
図柄変動ゲームの開始から終了までには、予告演出を実行可能な実行期間が複数設定されており、
複数種類の演出内容のうちの特定演出内容で予告演出を実行可能な実行可能回数は、図柄変動ゲームの大当り期待度が高いほど多い回数が実行可能回数として定められ、
前記演出内容決定手段は、
図柄変動ゲーム中に特定演出内容の予告演出を実行する回数が、前記実行可能回数を超える回数とならないように、各実行期間における予告演出の演出内容を決定し、
図柄変動ゲームの開始時点に近い実行期間にて実行する予告演出の演出内容として特定演出内容を決定する確率よりも高い確率で、図柄変動ゲームの終了時点に近い実行期間にて実行する予告演出の演出内容として特定演出内容を決定し、
前記図柄変動ゲームが大当りとなる場合に当該図柄変動ゲームの終了後に付与される大当り遊技には、第１大当り遊技と、前記第１大当り遊技よりも遊技者に有利な第２大当り遊技と、を含み、
前記特定演出内容には、第１特定演出内容と第２特定演出内容と、を含み、
前記第１大当り遊技が付与される場合の前記第１特定演出内容の実行可能回数は所定上限回数を超えない回数であって、前記第２特定演出内容の実行可能回数は０回であり、
前記第２大当り遊技が付与される場合の前記第１特定演出内容の実行可能回数は前記所定上限回数を超える回数であって、前記第２特定演出内容の実行可能回数は１回以上の回数であり、
前記演出内容決定手段は、
各実行期間にて実行する予告演出の演出内容を、所定の順序で決定するとともに、前記予告演出の演出内容の選択率を特定可能な選択テーブルを用いて決定し、
複数の実行期間のうち２回目以降の実行期間においては、前記第１特定演出内容を決定した回数が、その図柄変動ゲームにおける実行可能回数に達している場合と達していない場合とで異なる選択テーブルを用いて演出内容を決定し、
前記第１特定演出内容を決定した回数が、その図柄変動ゲームに定められた実行可能回数に達している場合、前記特定演出内容以外の非特定演出内容の予告演出を実行することを決定する一方で、
その図柄変動ゲームで実行する予告演出の演出内容として決定してきた演出内容のうち、前記第１特定演出内容を決定した回数が、その図柄変動ゲームに定められた実行可能回数に達していない場合、特定演出内容及び非特定演出内容の中から予告演出の演出内容を決定することを特徴とする遊技機。
【発明の詳細な説明】
【技術分野】
【０００１】
本発明は、図柄変動ゲームが大当りとなる可能性を示唆する予告演出を実行する遊技機に関するものである。
【背景技術】
【０００２】
従来、遊技機の一種であるパチンコ遊技機では、遊技盤に配設した始動入賞口への遊技球の入球を契機に大当り判定用の乱数を取得し、当該乱数の値と予め決定された大当り判定値とが一致するか否かの判定によって、大当りか否かの大当り抽選を行っている。また、その大当り抽選の抽選結果を複数列の図柄を変動させて表示する図柄変動ゲームを実行させることにより導出させている。図柄変動ゲームでは、最終的に大当り図柄が確定停止表示された場合、遊技者は大当りを認識し得るようになっている。
【０００３】
この種の図柄変動ゲームでは、遊技者の興趣を向上させるために、遊技者に対して「大当り」となる可能性を示唆する予告演出を行っている。例えば、特許文献１に記載の遊技機では、予告演出の演出内容を複数種類備え、演出内容「流星」の予告演出が実行されると大当りへの期待感が高いことを認識できるようになっている。その一方で、演出内容「ロケット花火」の予告演出が実行されると大当りへの期待感が低いことを認識できるようになっている。これにより予告演出の演出内容によって、遊技者が抱く大当りへの期待感を異ならせている。また、特許文献１の遊技機では、リーチ前と、リーチ後に予告演出が実行されるようになっており、それぞれの予告演出の演出内容に注目させることができる。
【先行技術文献】
【特許文献】
【０００４】
【特許文献１】特開２００５−２１１５１８号公報
【発明の概要】
【発明が解決しようとする課題】
【０００５】
ところで、図柄変動ゲームがはずれとなった場合、大当りとならないので遊技者は興趣を低下させる。そして、この興趣の低下具合は、実行された予告演出が示唆する大当りへの期待感が高ければ高いほど、大きくなる。例えば、特許文献１に記載の遊技機において、はずれの図柄変動ゲームのリーチ前において大当り期待度への期待感が高いことを認識できる演出内容の予告演出が実行され、リーチ後においても大当りへの期待感が高いことを認識できる演出内容の予告演出が実行されたとする。この場合、図柄変動ゲームの最終結果が表示される前まで大当りへの期待感をむやみに高めてしまったことで、最終的にはずれとなったときの興趣の低下が大きくなってしまう虞があった。
【０００６】
この発明は、このような従来の技術に存在する問題点に着目してなされたものである。その目的は、遊技者の抱く大当りへの期待感を高め過ぎないようにすることのできる遊技機を提供することにある。
【課題を解決するための手段】
【０００７】
上記問題点を解決するために、請求項１に記載の発明は、図柄変動ゲームが大当りとなることへの可能性を示唆する予告演出の演出内容を、複数種類の演出内容の中から図柄変動ゲームの演出内容に応じて決定する演出内容決定手段と、当該演出内容決定手段が決定した演出内容で予告演出を演出実行手段に実行させる演出制御手段を備えた遊技機において、図柄変動ゲームの開始から終了までには、予告演出を実行可能な実行期間が複数設定されており、複数種類の演出内容のうちの特定演出内容で予告演出を実行可能な実行可能回数は、図柄変動ゲームの大当り期待度が高いほど多い回数が実行可能回数として定められ、前記演出内容決定手段は、図柄変動ゲーム中に特定演出内容の予告演出を実行する回数が、前記実行可能回数を超える回数とならないように、各実行期間における予告演出の演出内容を決定し、図柄変動ゲームの開始時点に近い実行期間にて実行する予告演出の演出内容として特定演出内容を決定する確率よりも高い確率で、図柄変動ゲームの終了時点に近い実行期間にて実行する予告演出の演出内容として特定演出内容を決定し、前記図柄変動ゲームが大当りとなる場合に当該図柄変動ゲームの終了後に付与される大当り遊技には、第１大当り遊技と、前記第１大当り遊技よりも遊技者に有利な第２大当り遊技と、を含み、前記特定演出内容には、第１特定演出内容と第２特定演出内容と、を含み、前記第１大当り遊技が付与される場合の前記第１特定演出内容の実行可能回数は所定上限回数を超えない回数であって、前記第２特定演出内容の実行可能回数は０回であり、前記第２大当り遊技が付与される場合の前記第１特定演出内容の実行可能回数は前記所定上限回数を超える回数であって、前記第２特定演出内容の実行可能回数は１回以上の回数であり、前記演出内容決定手段は、各実行期間にて実行する予告演出の演出内容を、所定の順序で決定するとともに、前記予告演出の演出内容の選択率を特定可能な選択テーブルを用いて決定し、複数の実行期間のうち２回目以降の実行期間においては、前記第１特定演出内容を決定した回数が、その図柄変動ゲームにおける実行可能回数に達している場合と達していない場合とで異なる選択テーブルを用いて演出内容を決定し、前記第１特定演出内容を決定した回数が、その図柄変動ゲームに定められた実行可能回数に達している場合、前記特定演出内容以外の非特定演出内容の予告演出を実行することを決定する一方で、その図柄変動ゲームで実行する予告演出の演出内容として決定してきた演出内容のうち、前記第１特定演出内容を決定した回数が、その図柄変動ゲームに定められた実行可能回数に達していない場合、特定演出内容及び非特定演出内容の中から予告演出の演出内容を決定することを要旨とする。
【０００９】
請求項２に記載の発明は、請求項１に記載の遊技機において、前記大当り遊技には、前記第１大当り遊技よりも遊技者に不利な第３大当り遊技をさらに含み、前記第３大当り遊技が付与される場合の前記第１特定演出内容の実行可能回数は前記所定上限回数未満の回数であって、前記第２特定演出内容の実行可能回数は０回であることを要旨とする。
【発明の効果】
【００１４】
本発明によれば、遊技者の抱く大当りへの期待感を高め過ぎないようにすることができる。
【図面の簡単な説明】
【００１５】
【図１】パチンコ遊技機の遊技盤を示す正面図。
【図２】大当り遊技の種類及び小当り遊技を示す説明図。
【図３】パチンコ遊技機の電気的構成を示すブロック図。
【図４】変動パターンを示す説明図。
【図５】特別図柄毎の縦縞演出内容及び横縞演出内容の予告演出を実行可能な回数を示す説明図。
【図６】第１実行期間演出内容決定テーブルを示す説明図。
【図７】第１実行期間演出内容決定テーブルを示す説明図。
【図８】演出パターンを示す説明図。
【図９】（ａ）及び（ｂ）は、第２実行期間演出内容決定テーブルを示す説明図。
【図１０】（ａ）及び（ｂ）は、第３実行期間演出内容決定テーブルを示す説明図。
【図１１】（ａ）及び（ｂ）は、第４実行期間演出内容決定テーブルを示す説明図。
【図１２】（ａ）〜（ｅ）は、図柄変動ゲームの演出態様を示す説明図。
【図１３】（ａ）〜（ｅ）は、図柄変動ゲームの演出態様を示す説明図。
【発明を実施するための形態】
【００１６】
以下、本発明をパチンコ遊技機に具体化した一実施形態を図１〜図１３にしたがって説明する。
図１に示すように、パチンコ遊技機の遊技盤１０のほぼ中央には、液晶ディスプレイ型の画像表示部ＧＨを有する演出実行手段としての演出表示装置１１が配設されている。演出表示装置１１では、複数列（本実施形態では、３列）の図柄を変動させて行う図柄変動ゲームと、該ゲームに関連して実行される各種の表示演出が実行される。本実施形態の図柄変動ゲームでは、複数列（本実施形態では、３列）の図柄からなる図柄組み合わせを導出する。なお、演出表示装置１１で実行される図柄変動ゲームでは、表示演出を多様化するための飾り図柄を用いて行われる。
【００１７】
また、演出表示装置１１の右下には、７セグメント型の特別図柄表示装置１２が配設されている。特別図柄表示装置１２では、複数種類の特別図柄（特図）を変動させて表示する図柄変動ゲームが行われる。特別図柄は、大当りか否か（大当り抽選）及び小当りか否か（小当り抽選）などの内部抽選の結果を示す報知用の図柄である。
【００１８】
本実施形態において特別図柄表示装置１２には、複数種類（本実施形態では、１０２種類）の特図の中から、大当り抽選及び小当り抽選の抽選結果に対応する１つの特図が選択され、その選択された特図が確定停止表示される。１０２種類の特図は、大当りを認識し得る図柄となる１００種類の大当り図柄と、小当りを認識し得る図柄となる１種類の小当り図柄と、はずれを認識し得る図柄となる１種類のはずれ図柄と、に分類される。また、大当り図柄が確定停止表示された場合、遊技者には、大当り遊技が付与される。また、小当り図柄が確定停止表示された場合、遊技者には、小当り遊技が付与される。
【００１９】
また、本実施形態において演出表示装置１１には、各列毎に［１］〜［８］の８種類の数字が飾り図柄として表示されるようになっている。そして、演出表示装置１１には、特別図柄表示装置１２の表示結果に応じた表示結果が表示される。具体的には、特別図柄表示装置１２に大当り図柄が確定停止表示される場合、原則として、演出表示装置１１にも大当り図柄（大当りの図柄組み合わせ）が確定停止表示されるようになっている。本実施形態の大当りの図柄組み合わせは、全列の飾り図柄が同一の図柄組み合わせ（［２２２］［７７７］など）である。また、特別図柄表示装置１２にはずれ図柄が確定停止表示される場合、原則として、演出表示装置１１にもはずれ図柄（はずれの図柄組み合わせ）が確定停止表示されるようになっている。本実施形態のはずれの図柄組み合わせは、全列の飾り図柄が異なる図柄組み合わせ（［１２３］など）、又は１列の飾り図柄が他の２列の飾り図柄と異なる図柄組み合わせ（［１２２］［７６７］など）である。
【００２０】
また、特別図柄表示装置１２に小当り図柄が確定停止表示される場合、演出表示装置１１にも小当り図柄（確変示唆の図柄組み合わせ）が確定停止表示されるようになっている。また、特別図柄表示装置１２に大当り図柄が確定停止表示される場合でも、演出表示装置１１に確変示唆の図柄組み合わせが確定停止表示される場合もある。なお、この確変示唆の図柄組み合わせは、大当り抽選の抽選確率が低確率（通常状態）から高確率に変動する確率変動状態（以下、「確変状態」と示す）が付与される可能性を示唆する図柄組み合わせである。本実施形態の確変示唆の図柄組み合わせは、１列の飾り図柄が他の２列の飾り図柄と異なる図柄組み合わせの中の所定の図柄組み合わせ（本実施形態では、［１２１］［２３２］［３４３］［４５４］［５６５］［６７６］［７８７］［８１８］）である。
【００２１】
また、本実施形態において、演出表示装置１１における各列の飾り図柄は、図柄変動ゲームが開始すると、予め定めた変動方向（縦スクロール方向）に沿って変動表示されるようになっている。そして、図柄変動ゲームが開始すると（各列の飾り図柄が変動を開始すると）、演出表示装置１１において遊技者側から見て左列（左図柄）→右列（右図柄）→中列（中図柄）の順に、変動表示された飾り図柄が一旦停止表示されるようになっている。そして、一旦停止表示された左図柄と右図柄が同一の場合には、その図柄組み合わせ（［１↓１］など、「↓」は変動中を示す）からリーチ状態を認識できる。リーチ状態は、複数列のうち、特定列（本実施形態では、左列と右列）の飾り図柄が同一となって一旦停止表示され、かつ前記特定列以外の列（本実施形態では、中列）の飾り図柄が変動表示されている状態である。このリーチ状態を認識できる図柄組み合わせが飾り図柄によるリーチの図柄組み合わせとなる。
【００２２】
なお、「変動表示」とは、図柄を表示する表示装置１１，１２に定める表示領域内において表示される図柄の種類が変化している状態である一方で、「一旦停止表示」とは、前記表示領域内において図柄がゆれ変動状態で表示されている状態である。また、「確定停止表示」とは、前記表示領域内において図柄が確定停止している状態である。そして、特別図柄表示装置１２における図柄変動ゲームと、演出表示装置１１における図柄変動ゲームは、その図柄変動ゲームに係る表示演出が同時に開始されるとともに、同時に終了する（すなわち、同時に特別図柄と飾り図柄が確定停止表示される）。
【００２３】
また、本実施形態のパチンコ遊技機には、発射装置としての発射ハンドルが装備されている（図示しない）。この発射ハンドルは、パチンコ遊技機において遊技者が操作可能な位置に配置されている。そして、遊技者が発射ハンドルを操作することにより、遊技球が遊技盤１０の遊技領域１４に発射されるようになっている。
【００２４】
また、演出表示装置１１の左下方には、普通図柄表示装置１３が配設されている。普通図柄表示装置１３では、複数種類の普通図柄（以下、「普図」と示す）を変動させて表示する普通図柄変動ゲーム（以下、「普図ゲーム」と示す）が行われる。普図は、普図当りか否かの内部抽選（普図当り抽選）の結果を示す報知用の図柄である。普通図柄表示装置１３には、普図当り抽選に当選した場合、普図当り抽選に当選したことを認識できる普図当り図柄が確定停止表示される。また、普通図柄表示装置１３には、普図当り抽選に当選しなかった場合（非当選）、普図当り抽選に当選しなかったことを認識できる普通はずれ図柄が確定停止表示される。
【００２５】
また、演出表示装置１１の下方には、遊技球の入球口１５ａを有する始動入賞口１５が配設されている。始動入賞口１５は普通電動役物とされ、図示しないアクチュエータ（ソレノイド、モータなど）の作動により開閉動作を行う開閉部材としての開閉羽根１６を備えている。始動入賞口１５は、開閉羽根１６の開動作により入り口が拡大されて遊技球が入球し易い開放状態とされる一方で、開閉羽根１６の閉動作により入り口が拡大されず遊技球が入球し難い閉鎖状態とされる。すなわち、開閉羽根１６は、始動入賞口１５の入球口１５ａを、遊技球が入球し難い閉鎖状態から遊技球が入球し易い開放状態に可変させる。そして、始動入賞口１５の奥方には入球した遊技球を検知する始動口スイッチＳＷ１（図３に示す）が配設されている。始動入賞口１５は、入球した遊技球を検知することにより、図柄変動ゲームの始動条件と予め定めた個数の賞球としての遊技球の払出条件を付与し得る。
【００２６】
また、演出表示装置１１の左方には、ゲート１９が配設されている。ゲート１９の奥方には、通過（入球）した遊技球を検知する普通図柄変動スイッチＳＷ２（図３に示す）が配設されている。ゲート１９は、通過した遊技球を普通図柄変動スイッチＳＷ２で検知することにより、普図ゲームの始動条件を付与し得る。普図ゲームは、始動入賞口１５の開閉羽根１６を開放状態とするか否かの抽選結果を導出するために行われる演出である。そして、普図当り抽選に当選すると（普通当り図柄が確定停止表示されると）、開閉羽根１６を開放する普図当り遊技が付与される。また、普図当り遊技における開閉羽根１６の開放によって、始動入賞口１５に遊技球を入球させ易くなり、遊技者は、図柄変動ゲームの始動条件と賞球を容易に獲得できる機会を得ることができる。
【００２７】
また、始動入賞口１５の下方には、図示しないアクチュエータ（ソレノイド、モータなど）の作動により開閉動作を行う大入賞口扉１７を備えた特別入賞手段としての大入賞口１８が配設されている。大入賞口１８の奥方には、入球した遊技球を検知するカウントスイッチＳＷ３（図３に示す）が配設されている。大入賞口１８は、入球した遊技球を検知することにより、予め定めた個数（例えば、１４個）の賞球としての遊技球の払出条件を付与し得る。大入賞口１８は、大当り遊技中に大入賞口扉１７の開動作によって開放されることで遊技球の入球が許容される。このため、大当り遊技中、遊技者は、賞球を獲得できるチャンスを得ることができる。
【００２８】
本実施形態のパチンコ遊技機では、遊技者にとって有利な確率変動（以下、「確変」と示す）状態が付与される場合がある。確変状態が付与された場合、大当り抽選の当選確率（抽選確率）を低確率（通常確率）から高確率へ変動（向上）させる。また、本実施形態における確変状態は、確変状態が付与されてから、所定回数（本実施形態では、５０回）の図柄変動ゲームの実行が終了するまでの間、又は前記所定回数の図柄変動ゲームが実行されるまでに大当り遊技が付与されるまでの間、付与される。このように確変状態が付与された場合は、大当り抽選の当選確率が高確率に変動して大当り遊技が生起され易くなるため、遊技者にとって有利な状態となる。
【００２９】
また、本実施形態では、遊技者にとって有利な変動時間短縮（以下、「変短」と示す）状態が付与される場合がある。変短状態が付与された場合、普図ゲームの変動時間が短縮されるとともに、ゲート１９の通過に基づく普図当り抽選の当選確率（抽選確率）を低確率（通常確率）から高確率へ変動（向上）させる。また、変短状態が付与されている場合には、変短状態が付与されていない場合と比較して、普図当り抽選に当選したときに開閉羽根１６を長い時間開放させる。このため、変短状態が付与されている場合、単位時間当りの開閉羽根１６の開放時間が増加することになる。すなわち、変短状態が付与されている場合は、単位時間当りの始動入賞口１５への遊技球の入球率が向上するため、遊技者にとって有利な状態となる。また、変短状態は、所定回数（本実施形態では、５０回）の図柄変動ゲームの実行が終了するまでの間、又は前記所定回数の図柄変動ゲームが実行されるまでに大当り遊技が付与されるまでの間、付与される。
【００３０】
次に、本実施形態のパチンコ遊技機に規定する大当り遊技及び小当り遊技について、図２に基づき説明する。
大当り遊技は、図柄変動ゲームにて、特別図柄表示装置１２に大当り図柄が確定停止表示されて、該図柄変動ゲームの終了後に開始される。大当り遊技が開始すると、最初に大当り遊技の開始を示すオープニング演出が行われる。オープニング演出終了後には、大入賞口１８が開放されるラウンド遊技が予め定めた規定ラウンド数を上限（本実施形態では、１６ラウンド又は８ラウンド）として複数回行われる。１回のラウンド遊技中に大入賞口１８は、入賞上限個数（本実施形態では、９個）の遊技球が入賞するまでの間、又はラウンド時間が経過するまでの間、開放される。また、ラウンド遊技では、ラウンド演出が行われる。そして、大当り遊技の終了を示すエンディング演出が行われ、大当り遊技は終了される。
【００３１】
そして、本実施形態のパチンコ遊技機では、大当り抽選に当選した場合、図２に示す３種類の大当り遊技の中から１つの大当り遊技が決定され、その決定された大当り遊技が付与されるようになっている。そして、３種類の大当り遊技のうち、何れの大当り遊技が付与されるかは、大当り抽選に当選した場合に決定する特図（大当り図柄）の種類に応じて決定されるようになっている。本実施形態において特別図柄表示装置１２に確定停止表示される１００種類の特図の大当り図柄は、特図毎に分類される。具体的には、図柄Ａには特別図柄表示装置１２に確定停止表示される大当り図柄のうち１０種類の大当り図柄が振り分けられている。同様に、図柄Ｂには特別図柄表示装置１２に確定停止表示される大当り図柄のうち４９種類の大当り図柄が振り分けられている。また、図柄Ｃには特別図柄表示装置１２に確定停止表示される大当り図柄のうち４１種類の大当り図柄が振り分けられている。また、図柄Ｄには、小当り遊技に対応する１種類の特図（小当り図柄）が振り分けられている。
【００３２】
図柄Ａに分類される大当り図柄が特別図柄表示装置１２に確定停止表示されたときに付与される大当り遊技は、規定ラウンド数が「１６回」に設定され、大当り遊技終了後に確変状態が付与される大当り遊技（以下、「１６Ｒ大当り遊技」と示す）である。１６Ｒ大当り遊技では、オープニング時間として「１０（秒）」が、エンディング時間として「９．５（秒）」がそれぞれ設定されている。また、１６Ｒ大当り遊技では、各ラウンド遊技時間として「２５（秒）」がそれぞれ設定されている。また、図示しないが、１６Ｒ大当り遊技における各ラウンド間のインターバル時間（ラウンド間インターバル）は、「２（秒）」にそれぞれ設定されている。なお、１６Ｒ大当り遊技終了後に付与される確変状態は、当該１６Ｒ大当り遊技が終了してから５０回の図柄変動ゲームの実行が終了するまでの間、又は５０回の図柄変動ゲームが実行されるまでに大当り遊技が付与されるまでの間、付与されるようになっている。また、１６Ｒ大当り遊技終了後には、大当り抽選当選時に変短状態が付与されていたか否かに係らず、前記１６Ｒ大当り遊技終了後から５０回の図柄変動ゲームの実行が終了するまでの間、又は前記５０回の図柄変動ゲームが実行されるまでに大当り遊技が付与されるまでの間、変短状態が付与されるようになっている。
【００３３】
また、図柄Ｂに分類される大当り図柄が特別図柄表示装置１２に確定停止表示されたときに付与される大当り遊技は、規定ラウンド数が「８回」に設定され、大当り遊技終了後に確変状態が付与される大当り遊技（以下、「８Ｒ大当り遊技」と示す）である。８Ｒ大当り遊技では、オープニング時間として「１０（秒）」が、エンディング時間として「９．５（秒）」がそれぞれ設定されている。また、８Ｒ大当り遊技では、各ラウンド遊技時間として「２５（秒）」がそれぞれ設定されている。また、図示しないが、８Ｒ大当り遊技における各ラウンド間のインターバル時間は、「２（秒）」にそれぞれ設定されている。なお、８Ｒ大当り遊技終了後に付与される確変状態は、当該８Ｒ大当り遊技が終了してから５０回の図柄変動ゲームの実行が終了するまでの間、又は前記５０回の図柄変動ゲームが実行されるまでに大当り遊技が付与されるまでの間、付与されるようになっている。また、８Ｒ大当り遊技終了後には、大当り抽選当選時に変短状態が付与されていたか否かに係らず、前記８Ｒ大当り遊技終了後から５０回の図柄変動ゲームの実行が終了するまでの間、又は前記５０回の図柄変動ゲームの実行が終了するまでに大当り遊技が付与されるまでの間、変短状態が付与されるようになっている。
【００３４】
このように、本実施形態における１６Ｒ大当り遊技は、８Ｒ大当り遊技と比較して、各ラウンド遊技時間及び入賞上限個数が同じである一方で、規定ラウンド数が多い。つまり、１回のラウンド遊技において大入賞口１８に入球させることのできる遊技球の個数は同じであるため、ラウンド遊技の数（規定ラウンド数）が多い１６Ｒ大当り遊技中に大入賞口１８に入球させることのできる遊技球の個数は、８Ｒ大当り遊技中に大入賞口１８に入球させることのできる遊技球の個数よりも多くなるチャンスがある。すなわち、１６Ｒ大当り遊技は、８Ｒ大当り遊技よりも遊技者にとって有利な大当り遊技となる。
【００３５】
また、図柄Ｃに分類される大当り図柄が特別図柄表示装置１２に確定停止表示されたときに付与される大当り遊技は、規定ラウンド数が「８回」に設定され、大当り遊技終了後に確変状態が付与される大当り遊技（以下、「８Ｒ短縮大当り遊技」と示す）である。また、８Ｒ短縮大当り遊技では、オープニング時間として「０．０２（秒）」が、エンディング時間として「２（秒）」が設定されている。また、８Ｒ短縮大当り遊技では、各ラウンド遊技時間として「０．０６（秒）」がそれぞれ設定されている。また、８Ｒ短縮大当り遊技における各ラウンド間のインターバル時間は、「１．５（秒）」にそれぞれ設定されている。なお、８Ｒ短縮大当り遊技終了後に付与される確変状態は、当該８Ｒ短縮大当り遊技が終了してから５０回の図柄変動ゲームの実行が終了するまでの間、又は前記５０回の図柄変動ゲームの実行が終了するまでに大当り遊技が付与されるまでの間、付与されるようになっている。また、大当り抽選当選時に変短状態が付与されていた場合には、８Ｒ短縮大当り遊技終了後から５０回の図柄変動ゲームの実行が終了するまでの間、又は前記５０回の図柄変動ゲームの実行が終了するまでに大当り遊技が付与されるまでの間、変短状態が付与されるようになっている。その一方で、大当り抽選当選時に変短状態が付与されていなかった場合には、８Ｒ短縮大当り遊技終了後に変短状態が付与されないようになっている。
【００３６】
因みに、パチンコ遊技機では、１分間当りの遊技球の発射個数が約「１００球」に設定されているので、遊技球を１球発射させるために要する時間は、「０．６（秒）」となる。すなわち、８Ｒ短縮大当り遊技の各ラウンド遊技において、ラウンド遊技時間「０．０６（秒）」内に、入球上限個数（９球）の遊技球を発射して、入球させるのは実質的に無理である。そのため、各ラウンド遊技においてラウンド遊技時間「２５（秒）」内に、入球上限個数（９球）の遊技球を発射して、入球させることの可能な８Ｒ大当り遊技は、８Ｒ短縮大当り遊技よりも大入賞口１８に遊技球を入球させやすい大当り遊技となる。すなわち、８Ｒ大当り遊技は、８Ｒ短縮大当り遊技と比較して獲得する賞球の数が多くなりやすいため、８Ｒ短縮大当り遊技よりも有利な大当り遊技となる。
【００３７】
また、図柄Ｄに分類される小当り図柄が特別図柄表示装置１２に確定停止表示されたときに付与される小当り遊技では、オープニング時間として「０（秒）」が、エンディング時間として「２．０２（秒）」がそれぞれ設定されている。また、小当り遊技では、大入賞口１８の開放回数として「８回」が設定されている。また、小当り遊技では、開放１回目〜８回目の開放時間が「０．０６（秒）」に設定されているとともに、各開放の間（例えば、２回目の開放から３回目の開放までの間）にはインターバル時間として「１．５（秒）」が設定されている。これにより、小当り遊技において１回目の開放から８回目の閉鎖までの開閉時間は、「（０．０６＋１．５）×７＋０．０６（秒）」からなる「１０．９８（秒）」に設定されていることになる。このように、８Ｒ短縮大当り遊技における１ラウンド目の開放から８ラウンド目の閉鎖までと、小当り遊技における１回目の開放から８回目の閉鎖までと、では、大入賞口１８の開放態様が同じとなっている。そのため、大入賞口１８の開放態様からは、８Ｒ短縮大当り遊技と小当り遊技の何れが付与されたかを認識できない。
【００３８】
また、小当り遊技では、当該小当り遊技の終了後の遊技状態を、小当り抽選の当選時における遊技状態で継続させるようになっている（図２では、「現状維持」と示す）。すなわち、小当り抽選の当選時に確変状態が付与されていれば小当り遊技の終了後にも確変状態が継続して付与される一方、確変状態が付与されていなければ小当り遊技の終了後にも確変状態が付与されない。また、小当り抽選の当選時に変短状態が付与されていれば小当り遊技終了後にも変短状態が継続して付与される一方、変短状態が付与されていなければ小当り遊技の終了後にも変短状態が付与されない。
【００３９】
また、本実施形態のパチンコ遊技機では、１回の図柄変動ゲームにおいて、表示された全列の飾り図柄の変動開始から、全列の飾り図柄の一旦停止表示までを１回とする変動サイクルを複数回、連続して実行する擬似連演出を実行可能に構成している。なお、擬似連演出は、特別図柄表示装置１２で行われる１回の図柄変動ゲーム中に、演出表示装置１１で行われる図柄変動ゲームのみで演出として表現される。１回の図柄変動ゲームは、図柄（特別図柄と飾り図柄）の変動開始によって開始し、図柄が確定停止表示されることによって終了する。この１回の図柄変動ゲームは、１球の遊技球が始動入賞口１５に入球したことに対して行われるものである。すなわち、擬似連演出を伴う１回の図柄変動ゲームは、内部制御において１回の図柄変動ゲームを、恰も複数回の図柄変動ゲームが連続して行われているかのように擬似的に演出表現してなされるものである。
【００４０】
次に、パチンコ遊技機の制御構成を図３にしたがって説明する。
機裏側には、パチンコ遊技機全体を制御する主制御基板３０が装着されている。主制御基板３０は、パチンコ遊技機全体を制御するための各種処理を実行するとともに、該処理結果に応じた各種の制御指令（制御コマンド）を出力する。また、機裏側には、演出制御基板３１が装着されている。演出制御基板３１は、主制御基板３０が出力した制御信号（制御コマンド）に基づき、演出表示装置１１の表示態様（図柄、背景、文字などの表示画像など）や各種の演出装置を制御する。
【００４１】
以下、主制御基板３０及び演出制御基板３１の具体的構成を説明する。
主制御基板３０には、制御動作を所定の手順で実行する主制御用ＣＰＵ３０ａと、主制御用ＣＰＵ３０ａの制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１〜ＳＷ３が遊技球を検知して出力する検知信号を入力可能に接続されている。また、主制御用ＣＰＵ３０ａには、特別図柄表示装置１２及び普通図柄表示装置１３が接続されている。
【００４２】
また、主制御用ＣＰＵ３０ａは、当り判定用乱数、特図振分用乱数、リーチ判定用乱数、変動パターン振分用乱数及び普図当り判定用乱数などの各種乱数の値を所定の周期毎に更新する乱数更新処理（乱数生成処理）を実行する。当り判定用乱数は、大当り抽選（大当り判定）及び小当り抽選（小当り判定）で用いる乱数である。特図振分用乱数は、大当り抽選に当選した場合に、付与する大当り遊技の種類を決定する際に用いる乱数である。リーチ判定用乱数は、大当り抽選及び小当り抽選で非当選の場合に、図柄変動ゲームにてリーチ演出を実行するか否かを決定するためのリーチ抽選（リーチ判定）で用いる乱数である。変動パターン振分用乱数は、変動パターンを選択する際に用いる乱数である。普図当り判定用乱数は、普図当り抽選で用いる乱数である。また、主制御用ＲＡＭ３０ｃには、パチンコ遊技機の動作中に適宜書き換えられる各種情報（乱数値、タイマ値、フラグなど）が記憶（設定）される。
【００４３】
主制御用ＲＯＭ３０ｂには、メイン制御プログラムや各種の判定値（大当り判定値など）が記憶されている。例えば、主制御用ＲＯＭ３０ｂには、大当り判定値が記憶されている。大当り判定値は、大当りか否かの内部抽選で用いる判定値であり、当り判定用乱数の取り得る数値の中から定められている。また、主制御用ＲＯＭ３０ｂには、小当り判定値が記憶されている。小当り判定値は、小当りか否かの内部抽選で用いる判定値であり、当り判定用乱数の取り得る数値の中から大当り判定値とは異なる値が定められている。また、主制御用ＲＯＭ３０ｂには、リーチ判定値が記憶されている。リーチ判定値は、リーチ抽選で用いる判定値であり、リーチ判定用乱数の取り得る数値の中から定められている。また、主制御用ＲＯＭ３０ｂには、普図当り判定値が記憶されている。普図当り判定値は、普図当り抽選で用いる判定値であり、普図当り判定用乱数の取り得る数値の中から定められている。
【００４４】
また、主制御用ＲＯＭ３０ｂには、複数種類の変動パターンが記憶されている。変動パターンは、図柄変動ゲームが開始してから図柄変動ゲームが終了するまでの間の演出（表示演出など）のベースとなるパターンであって、図柄変動ゲームの演出内容及び演出時間（変動時間）を特定し得る。また、変動パターンには、大当りのときに決定される大当り演出用の変動パターンと、大当りのとき及び小当りのときに決定される確変示唆演出用の変動パターンと、はずれのときに決定されるはずれ演出用の変動パターンがある。また、はずれ演出用の変動パターンには、リーチ演出を演出内容に含むはずれリーチ演出用の変動パターンと、リーチ演出を演出内容に含まないはずれ通常演出用の変動パターンがある。本実施形態では、図４に示すように、はずれ通常演出用の変動パターンとして変動パターンＨＰ１、はずれリーチ演出用の変動パターンとして変動パターンＨＰ２〜ＨＰ６、大当り演出用の変動パターンとして変動パターンＨＰ７〜ＨＰ１２、確変示唆演出用の変動パターンとして変動パターンＨＰ１３〜ＨＰ１５が主制御用ＲＯＭ３０ｂに記憶されている。
【００４５】
また、リーチ演出は、演出表示装置１１の飾り図柄による図柄変動ゲームにおいて、リーチの図柄組み合わせが表示されてから、最終的に図柄組み合わせ（大当り、はずれ又は確変示唆の図柄組み合わせ）が導出されるまでの間に行われる演出である。なお、変動パターンＨＰ１に基づいて行われる図柄変動ゲームでは、リーチ演出を経ることなく最終的にはずれの図柄組み合わせが確定停止表示されるように展開される。また、変動パターンＨＰ２〜ＨＰ６に基づいて行われる図柄変動ゲームでは、リーチ演出を経て、最終的にはずれの図柄組み合わせが確定停止表示されるように展開される。また、変動パターンＨＰ７〜ＨＰ１２に基づいて行われる図柄変動ゲームでは、リーチ演出を経て、最終的に大当りの図柄組み合わせが確定停止表示されるように展開される。また、変動パターンＨＰ１３〜ＨＰ１５に基づいて行われる図柄変動ゲームでは、リーチ演出を経て、最終的に確変示唆の図柄組み合わせが確定停止表示されるように展開される。
【００４６】
また、リーチ演出が実行される変動パターンＨＰ２〜ＨＰ１５では、実行されるリーチ演出が異なる。具体的には、変動パターンＨＰ２，ＨＰ７に基づいて行われる図柄変動ゲームでは、ノーマルリーチ演出（図４では、「ＮＲ」と示す）が実行される。また、変動パターンＨＰ３〜ＨＰ６，ＨＰ８〜ＨＰ１５に基づいて行われる図柄変動ゲームではスーパーリーチ演出（図４では、「ＳＲ」と示す）が実行される。ノーマルリーチ演出とは、演出表示装置１１において、リーチの図柄組み合わせが一旦停止表示された後、残り１列（本実施形態では、中列）が変動表示されて、飾り図柄が導出される演出内容のリーチ演出である。また、スーパーリーチ演出とは、リーチ演出の演出内容が２段階で構成されたものであり、ノーマルリーチ演出が実行されて、全列の飾り図柄が一旦停止表示された後又は中列の飾り図柄の変動中、例えば、キャラクタが登場し、登場キャラクタの名称で呼ばれる「○○リーチ」へ移行（発展）して飾り図柄が導出される演出内容のリーチ演出である。スーパーリーチ演出は、ノーマルリーチ演出が１段階目となり、ノーマルリーチ演出から発展する内容となっている。
【００４７】
また、変動パターンには、擬似連演出を実行させるときの変動サイクルの回数が定められている。本実施形態において、変動パターンＨＰ１〜ＨＰ３，ＨＰ７，ＨＰ８，ＨＰ１３は、擬似連演出を実行させない変動パターンである。また、変動パターンＨＰ４，ＨＰ９，ＨＰ１４は、変動サイクルの回数が「２回」の擬似連演出を実行させる変動パターンである。また、変動パターンＨＰ５，ＨＰ１０，ＨＰ１５は、変動サイクルの回数が「３回」の擬似連演出を実行させる変動パターンである。また、変動パターンＨＰ６，ＨＰ１１は、変動サイクルの回数が「４回」の擬似連演出を実行させる変動パターンである。また、変動パターンＨＰ１２は、変動サイクルの回数が「５回」の擬似連演出を実行させる変動パターンである。
【００４８】
次に、図３に示す演出制御基板３１について説明する。
演出制御基板３１には、制御動作を所定の手順で実行する演出制御用ＣＰＵ３１ａと、演出制御用ＣＰＵ３１ａの制御プログラムを格納する演出制御用ＲＯＭ３１ｂと、必要なデータの書き込み及び読み出しができる演出制御用ＲＡＭ３１ｃが設けられている。演出制御用ＣＰＵ３１ａは、各種乱数の値を所定の周期毎に更新する乱数更新処理（乱数生成処理）を実行する。また、演出制御用ＣＰＵ３１ａには、演出表示装置１１が接続されている。また、演出制御用ＲＯＭ３１ｂには、各種の画像表示用データ（図柄、背景、文字、キャラクタなどの画像データ）が記憶されている。また、演出制御用ＲＡＭ３１ｃには、パチンコ遊技機の動作中に適宜書き換えられる各種情報（乱数値、タイマ値、フラグなど）が記憶（設定）される。
【００４９】
以下、主制御基板３０及び演出制御基板３１が実行する制御内容を説明する。
まず、主制御基板３０の主制御用ＣＰＵ３０ａが、メイン制御プログラムに基づき実行する特別図柄入力処理や特別図柄開始処理などの各種処理について説明する。本実施形態において主制御用ＣＰＵ３０ａは、所定の制御周期（例えば、４ｍｓ）毎に特別図柄入力処理や特別図柄開始処理などの各種処理を実行する。
【００５０】
最初に、特別図柄入力処理について説明する。
主制御用ＣＰＵ３０ａは、始動口スイッチＳＷ１から検知信号を入力しているか否かに基づき、始動入賞口１５に遊技球が入球したか否かを判定する。この判定結果が否定の場合、主制御用ＣＰＵ３０ａは、特別図柄入力処理を終了する。その一方で、前記判定結果が肯定の場合、主制御用ＣＰＵ３０ａは、各種乱数の値（本実施形態では、当り判定用乱数、特図振分用乱数及び変動パターン振分用乱数の値）を主制御用ＲＡＭ３０ｃから読み出して取得し、該値を主制御用ＲＡＭ３０ｃの所定の記憶領域に設定する。その後、主制御用ＣＰＵ３０ａは、特別図柄入力処理を終了する。
【００５１】
次に、特別図柄開始処理について説明する。
主制御用ＣＰＵ３０ａは、図柄変動ゲームの実行中、又は当り遊技（大当り遊技及び小当り遊技）中か否かの実行条件判定を実行する。この実行条件判定の判定結果が肯定の場合、つまり、図柄変動ゲームの実行中又は当り遊技中である場合、主制御用ＣＰＵ３０ａは、特別図柄開始処理を終了する。
【００５２】
一方、実行条件判定の判定結果が否定（図柄変動ゲーム中ではなく、且つ当り遊技中ではない）の場合、主制御用ＣＰＵ３０ａは、主制御用ＲＡＭ３０ｃの所定の記憶領域に記憶されている当り判定用乱数の値を読み出す。続いて、主制御用ＣＰＵ３０ａは、読み出した当り判定用乱数の値が、主制御用ＲＯＭ３０ｂに記憶されている大当り判定値と一致するか否かの大当り判定を行う。この大当り判定の判定結果が肯定の場合、つまり、大当りの場合、主制御用ＣＰＵ３０ａは、大当りとなる図柄変動ゲームを実行させるための大当り変動処理を実行する。大当り変動処理において主制御用ＣＰＵ３０ａは、特別図柄表示装置１２に確定停止表示させる特別図柄として大当り図柄を決定する。このとき主制御用ＣＰＵ３０ａは、主制御用ＲＡＭ３０ｃの所定の記憶領域に記憶されている特図振分用乱数の値に基づいて、図柄Ａ、図柄Ｂ及び図柄Ｃのうち何れか１つの特別図柄を決定する。また、大当り変動処理において主制御用ＣＰＵ３０ａは、主制御用ＲＡＭ３０ｃの所定の記憶領域に記憶されている変動パターン振分用乱数の値を読み出し、当該変動パターン振分用乱数の値と、決定した特別図柄の種類に基づいて、複数種類の大当り演出用の変動パターン又は確変示唆演出用の変動パターンの中から変動パターンを選択し、決定する。
【００５３】
このとき、本実施形態では、主制御用ＣＰＵ３０ａは、１６Ｒ大当り遊技を付与することを決定している場合（図柄Ａのとき）、図４に示す大当り演出用の変動パターンＨＰ７〜ＨＰ１２のうち何れかの変動パターンを選択する。なお、本実施形態における主制御用ＣＰＵ３０ａは、１６Ｒ大当り遊技を付与することを決定しているとき、変動パターンＨＰ７〜ＨＰ１２のうち、変動サイクルの回数が「５回」の擬似連演出を実行させる変動パターンＨＰ１２を最も決定し難くなっている。また、主制御用ＣＰＵ３０ａは、１６Ｒ大当り遊技を付与することを決定しているとき、変動パターンＨＰ７〜ＨＰ１１のうち、擬似連演出を実行させない変動パターンＨＰ７，ＨＰ８よりも、擬似連演出を実行させる変動パターンＨＰ９〜ＨＰ１１を決定し易くなっている。また、主制御用ＣＰＵ３０ａは、１６Ｒ大当り遊技を付与することを決定しているとき、擬似連演出を実行させる変動パターンＨＰ９〜ＨＰ１１のうち、擬似連演出を実行させたときの変動サイクルの回数が多くなる変動パターンを決定し易くなっている（変動パターンＨＰ１１を最も決定し易い）。また、主制御用ＣＰＵ３０ａは、１６Ｒ大当り遊技を付与することを決定しているとき、擬似連演出を実行させない変動パターンＨＰ７，ＨＰ８のうち、ノーマルリーチ演出のみを演出内容に含む変動パターンＨＰ７よりも、スーパーリーチ演出を演出内容に含む変動パターンＨＰ８を決定し易くなっている。すなわち、本実施形態における主制御用ＣＰＵ３０ａは、１６Ｒ大当り遊技を付与することを決定しているとき、変動パターンＨＰ１２→変動パターンＨＰ７→変動パターンＨＰ８→変動パターンＨＰ９→変動パターンＨＰ１０→変動パターンＨＰ１１の順に決定し易くなっている（変動パターンＨＰ１１を最も決定し易い）。
【００５４】
また、主制御用ＣＰＵ３０ａは、８Ｒ大当り遊技を付与することを決定している場合（図柄Ｂのとき）、大当り演出用の変動パターンＨＰ７〜ＨＰ１１のうち何れかの変動パターンを選択する。なお、本実施形態における主制御用ＣＰＵ３０ａは、８Ｒ大当り遊技を付与することを決定しているとき、変動パターンＨＰ７〜ＨＰ１１のうち、擬似連演出を実行させない変動パターンＨＰ７，ＨＰ８よりも、擬似連演出を実行させる変動パターンＨＰ９〜ＨＰ１１を決定し易くなっている。また、主制御用ＣＰＵ３０ａは、８Ｒ大当り遊技を付与することを決定しているとき、擬似連演出を実行させる変動パターンＨＰ９〜ＨＰ１１のうち、擬似連演出を実行させたときの変動サイクルの回数が多くなる変動パターンを決定し易くなっている（変動パターンＨＰ１１を最も決定し易い）。また、主制御用ＣＰＵ３０ａは、８Ｒ大当り遊技を付与することを決定しているとき、擬似連演出を実行させない変動パターンＨＰ７，ＨＰ８のうち、ノーマルリーチ演出のみを演出内容に含む変動パターンＨＰ７よりも、スーパーリーチ演出を演出内容に含む変動パターンＨＰ８を決定し易くなっている。すなわち、本実施形態における主制御用ＣＰＵ３０ａは、８Ｒ大当り遊技を付与することを決定しているとき、変動パターンＨＰ７→変動パターンＨＰ８→変動パターンＨＰ９→変動パターンＨＰ１０→変動パターンＨＰ１１の順に決定し易くなっている（変動パターンＨＰ１１を最も決定し易い）。
【００５５】
また、主制御用ＣＰＵ３０ａは、８Ｒ短縮大当り遊技を付与することを決定している場合（図柄Ｃのとき）、確変示唆演出用の変動パターンＨＰ１３〜ＨＰ１５のうち何れかの変動パターンを選択する。なお、本実施形態における主制御用ＣＰＵ３０ａは、８Ｒ短縮大当り遊技を付与することを決定しているとき、変動パターンＨＰ１３→変動パターンＨＰ１４→変動パターンＨＰ１５の順に決定し易くなっている（変動パターンＨＰ１５を最も決定し易い）。そして、主制御用ＣＰＵ３０ａは、大当り変動処理において大当り演出用の変動パターン又は確変示唆演出用の変動パターンを決定すると、特別図柄開始処理を終了する。
【００５６】
一方、上記大当り判定の判定結果が否定の場合、主制御用ＣＰＵ３０ａは、当り判定用乱数の値が大当りとなる値ではないことから、大当りでないこと（小当り又ははずれであること）を認識する。そして、主制御用ＣＰＵ３０ａは、大当り判定において大当り判定値と比較した当り判定用乱数の値と、主制御用ＲＯＭ３０ｂに記憶されている小当り判定値が一致するか否かの小当り判定を行う。この小当り判定の判定結果が肯定の場合、主制御用ＣＰＵ３０ａは、小当り抽選に当選したことから、小当りとなる図柄変動ゲームを実行させるための小当り変動処理を実行する。小当り変動処理において主制御用ＣＰＵ３０ａは、特別図柄表示装置１２に確定停止表示させる特別図柄として小当り図柄（図柄Ｄ）を決定する。また、小当り図柄を決定した主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、複数種類の確変示唆演出用の変動パターンの中から変動パターンを選択し、決定する。このとき、主制御用ＣＰＵ３０ａは、確変示唆演出用の変動パターンＨＰ１３〜ＨＰ１５のうち何れかの変動パターンを選択する。なお、本実施形態における主制御用ＣＰＵ３０ａは、小当り遊技を付与すること（小当り図柄）を決定しているとき、変動パターンＨＰ１５→変動パターンＨＰ１４→変動パターンＨＰ１３の順に決定し易くなっている（変動パターンＨＰ１３を最も決定し易い）。そして、主制御用ＣＰＵ３０ａは、小当り変動処理において確変示唆演出用の変動パターンを決定すると、特別図柄開始処理を終了する。
【００５７】
一方、上記小当り判定の判定結果が否定の場合、主制御用ＣＰＵ３０ａは、リーチ判定用乱数の値を読み出し、当該リーチ判定用乱数の値と、主制御用ＲＯＭ３０ｂに記憶されているリーチ判定値が一致するか否かのリーチ判定を行う。このリーチ判定の判定結果が肯定の場合、主制御用ＣＰＵ３０ａは、リーチ抽選に当選したことから、リーチ演出が行われてはずれとなる図柄変動ゲームを実行させるためのリーチ変動処理を実行する。リーチ変動処理において主制御用ＣＰＵ３０ａは、特別図柄表示装置１２に確定停止表示させる特別図柄としてはずれ図柄を決定する。また、はずれ図柄を決定した主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、複数種類の中からはずれリーチ演出用の変動パターンを選択し、決定する。
【００５８】
このとき、本実施形態では、主制御用ＣＰＵ３０ａは、変動パターンＨＰ２〜ＨＰ６のうち何れかの変動パターンを決定する。なお、本実施形態における主制御用ＣＰＵ３０ａは、はずれのとき、変動パターンＨＰ２〜ＨＰ６のうち、擬似連演出を実行させる変動パターンＨＰ４〜ＨＰ６よりも、擬似連演出を実行させない変動パターンＨＰ２，ＨＰ３を決定し易くなっている。また、主制御用ＣＰＵ３０ａは、はずれのとき、擬似連演出を実行させる変動パターンＨＰ４〜ＨＰ６のうち、擬似連演出を実行させたときの変動サイクルの回数が少なくなる変動パターンを決定し易くなっている（変動パターンＨＰ４を最も決定し易い）。また、主制御用ＣＰＵ３０ａは、はずれのとき、擬似連演出を実行させない変動パターンＨＰ２，ＨＰ３のうち、スーパーリーチ演出を演出内容に含む変動パターンＨＰ３よりも、ノーマルリーチ演出のみを演出内容に含む変動パターンＨＰ２を決定し易くなっている。すなわち、本実施形態における主制御用ＣＰＵ３０ａは、はずれのとき、変動パターンＨＰ６→変動パターンＨＰ５→変動パターンＨＰ４→変動パターンＨＰ３→変動パターンＨＰ２の順に決定し易くなっている（変動パターンＨＰ２を最も決定し易い）。そして、主制御用ＣＰＵ３０ａは、リーチ変動処理においてはずれリーチ演出用の変動パターンを決定すると、特別図柄開始処理を終了する。
【００５９】
このように、本実施形態では、図柄変動ゲームにおいて、ノーマルリーチ演出のみが実行されるよりも、スーパーリーチ演出が実行された方が大当りへの期待感が高まるようになっている。また、本実施形態では、擬似連演出が実行されたときの変動サイクルの回数が多いほど大当りへの期待感が高まるようになっている。また、擬似連演出が実行されたときの変動サイクルの回数が「５回」である場合には、大当りとなることが認識できるとともに、遊技者にとって有利な１６Ｒ大当り遊技が付与されることを認識できるようになっている。なお、大当り期待度は、大当りの場合の出現率とはずれの場合の出現率を合算した全体出現率に対する大当りの場合の出現率の割合によって算出される。
【００６０】
一方、上記リーチ判定の判定結果が否定の場合、主制御用ＣＰＵ３０ａは、リーチ演出が行われないではずれとなる図柄変動ゲームを実行させるためのはずれ変動処理を実行する。はずれ変動処理において主制御用ＣＰＵ３０ａは、特別図柄表示装置１２に確定停止表示させる特別図柄としてはずれ図柄を決定する。また、はずれ図柄を決定した主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、複数種類の中からはずれ通常演出用の変動パターンを選択し、決定する。このとき、本実施形態では、主制御用ＣＰＵ３０ａは、はずれ通常演出用の変動パターンＨＰ１を決定する。そして、主制御用ＣＰＵ３０ａは、はずれ変動処理において変動パターンを決定すると、特別図柄開始処理を終了する。
【００６１】
また、特別図柄開始処理において特別図柄及び変動パターンを決定した主制御用ＣＰＵ３０ａは、決定した内容にしたがって生成した制御コマンドを所定のタイミングで演出制御基板３１（演出制御用ＣＰＵ３１ａ）に出力する。具体的に言えば、主制御用ＣＰＵ３０ａは、変動パターンを指示するとともに図柄変動ゲームの開始を指示する変動パターン指定コマンドを図柄変動ゲームの開始に際して最初に出力するとともに、特別図柄を変動表示させるように特別図柄表示装置１２の表示内容を制御する。同時に、主制御用ＣＰＵ３０ａは、特別図柄を指定する特別図柄指定コマンドを出力する。そして、主制御用ＣＰＵ３０ａは、指示した変動パターンに定められている変動時間の経過時に図柄変動ゲームの終了（飾り図柄の確定停止表示）を指示する全図柄停止コマンドを前記変動時間の経過に伴って出力するとともに、決定した特別図柄を確定停止表示させるように特別図柄表示装置１２の表示内容を制御する。
【００６２】
次に、大当り抽選（又は小当り抽選）に当選した場合に主制御用ＣＰＵ３０ａが実行する当り遊技処理を説明する。
当り遊技処理において主制御用ＣＰＵ３０ａは、最初にオープニング演出の実行を指示するオープニングコマンドを演出制御用ＣＰＵ３１ａに出力する。次に、主制御用ＣＰＵ３０ａは、大当り抽選に当選した場合には、オープニング演出の終了後、各ラウンド遊技（小当り遊技の場合には、大入賞口１８の１回目〜８回目の開閉時間における演出）を制御する。すなわち、主制御用ＣＰＵ３０ａは、各ラウンド遊技の開始時にラウンド遊技の開始を指示するラウンドコマンドを演出制御用ＣＰＵ３１ａに出力するとともに、大入賞口１８の開放及び閉鎖を制御する。そして、主制御用ＣＰＵ３０ａは、最終回のラウンド遊技（小当り遊技の場合には、８回目の大入賞口１８の開放）が終了すると、エンディング演出の実行を指示するエンディングコマンドを演出制御用ＣＰＵ３１ａに出力する。その後、主制御用ＣＰＵ３０ａは、エンディング演出の終了によって大当り遊技又は小当り遊技を終了させる。このように、本実施形態では、主制御用ＣＰＵ３０ａが、大当り遊技付与手段として機能する。
【００６３】
また、主制御用ＣＰＵ３０ａは、１６Ｒ大当り遊技、８Ｒ大当り遊技又は８Ｒ短縮大当り遊技の終了後、確変フラグに確変状態が付与されていることを示す値（本実施形態では、「１」）を設定する。それとともに、主制御用ＣＰＵ３０ａは、確変状態の付与期間を示す確変付与回数として「５０回」を設定する。なお、主制御用ＣＰＵ３０ａは、確変フラグに「１」が設定されているとき、図柄変動ゲームの実行を終了する毎に前記確変付与回数を読み出し、１減算し、当該減算後の値を確変付与回数として設定する。また、減算後の確変付与回数が「０」である場合、主制御用ＣＰＵ３０ａは、確変フラグに確変状態が付与されていないことを示す値（本実施形態では、「０」）を設定する。一方、減算後の確変付与回数が「１」以上である場合、主制御用ＣＰＵ３０ａは、確変フラグに新たな値を設定しない。
【００６４】
また、主制御用ＣＰＵ３０ａは、１６Ｒ大当り遊技又は８Ｒ大当り遊技の終了後、作動フラグに変短状態が付与されていることを示す値（本実施形態では、「１」）を設定する。それとともに、主制御用ＣＰＵ３０ａは、変短状態の付与期間を示す変短付与回数として「５０回」を設定する。また、主制御用ＣＰＵ３０ａは、８Ｒ短縮大当り遊技の終了後、作動フラグに「１」が設定されている場合には、作動フラグに「１」を設定する。その一方で、主制御用ＣＰＵ３０ａは、８Ｒ短縮大当り遊技の終了後、作動フラグに変短状態が付与されていないことを示す値（本実施形態では、「０」）が設定されている場合には、作動フラグに「０」を設定する。また、主制御用ＣＰＵ３０ａは、８Ｒ短縮大当り遊技終了後に作動フラグに「１」を設定した場合、変短付与回数として「５０回」を設定する。なお、主制御用ＣＰＵ３０ａは、作動フラグに「１」が設定されているとき、図柄変動ゲームの実行を終了する毎に前記変短付与回数を読み出し、１減算し、当該減算後の値を変短付与回数として設定する。また、減算後の変短付与回数が「０」である場合、主制御用ＣＰＵ３０ａは、作動フラグに「０」を設定する。一方、減算後の変短付与回数が「１」以上である場合、主制御用ＣＰＵ３０ａは、作動フラグに新たな値を設定しない。
【００６５】
また、主制御用ＣＰＵ３０ａは、小当り遊技の場合、小当り抽選の当選時の遊技状態を継続させることから、確変フラグ、確変付与回数、作動フラグ及び変短付与回数の小当り抽選当選時の設定値を何れも維持する。
【００６６】
次に、普図ゲーム処理について説明する。
まず、普図ゲーム処理において主制御用ＣＰＵ３０ａは、ゲート１９へ遊技球が入球し、該遊技球を検知した普通図柄変動スイッチＳＷ２が出力する検知信号を入力したか否かの実行判定を行う。実行判定の判定結果が否定の場合、主制御用ＣＰＵ３０ａは、普図ゲーム処理を終了する。一方で、実行判定の判定結果が肯定の場合、主制御用ＣＰＵ３０ａは、普図ゲーム中又は普図当り遊技中であるか否かを判定する。普図ゲーム中又は普図当り遊技中であると判定した場合、主制御用ＣＰＵ３０ａは、普図ゲーム処理を終了する。一方、普図ゲーム中でなく、且つ普図当り遊技中でないと判定した場合、主制御用ＣＰＵ３０ａは、普図当り判定用乱数の値を主制御用ＲＡＭ３０ｃから取得する。そして、主制御用ＣＰＵ３０ａは、取得した普図当り判定用乱数の値が普図当り判定値と一致するか否かの普図当り判定を行う。普図当り判定の判定結果が肯定の場合、主制御用ＣＰＵ３０ａは、普通図柄表示装置１３に確定停止表示させる普通当り図柄を決定し、普図ゲーム処理を終了する。一方、普図当り判定の判定結果が否定の場合、主制御用ＣＰＵ３０ａは、普通図柄表示装置１３に確定停止表示させる普通はずれ図柄を決定し、普図ゲーム処理を終了する。
【００６７】
普図ゲーム処理を終了すると、主制御用ＣＰＵ３０ａは、普図を変動表示させるように普通図柄表示装置１３の表示内容を制御する。また、主制御用ＣＰＵ３０ａは、普図ゲームの変動時間が経過すると、普図ゲーム処理にて決定した普図を普通図柄表示装置１３に確定停止表示させる。なお、本実施形態における普図ゲームの変動時間は、普図ゲーム開始時において、変短状態が付与されているときには「０．１（秒）」、変短状態が付与されていないときには「７（秒）」が設定されている。また、本実施形態において、図柄変動ゲームと普図ゲームは、同時に実行可能である。
【００６８】
次に、普図当り抽選に当選した場合に主制御用ＣＰＵ３０ａが実行する普図当り遊技に係る制御について説明する。
主制御用ＣＰＵ３０ａは、普図ゲームが終了したとき（普通当り図柄が確定停止表示されたとき）、変短状態が付与されている場合には、開閉羽根１６を３回開放させるとともに、各回の開放において開放してから「１．８（秒）」が経過するまで開放状態を維持するように開閉羽根１６の開放を制御する。一方、主制御用ＣＰＵ３０ａは、普図ゲームが終了したとき（普通当り図柄が確定停止表示されたとき）、変短状態が付与されていない場合には、開閉羽根１６を１回開放させ、開放してから「０．２（秒）」が経過するまで開放状態を維持するように開閉羽根１６の開放を制御する。
【００６９】
次に、演出制御基板３１の演出制御用ＣＰＵ３１ａが制御プログラムに基づき実行する各種の処理について説明する。
演出制御基板３１の演出制御用ＣＰＵ３１ａは、変動パターン指定コマンド及び特別図柄指定コマンドを入力すると、当該コマンドの指示内容に応じて演出表示装置１１に確定停止表示させる飾り図柄を決定する。具体的には、演出制御用ＣＰＵ３１ａは、図柄Ａが指定された場合、つまり、１６Ｒ大当り遊技が付与される場合、［１１１］［２２２］［３３３］［４４４］［５５５］［６６６］［７７７］［８８８］の中から大当りの図柄組み合わせを決定する。また、演出制御用ＣＰＵ３１ａは、図柄Ｂが指定された場合、つまり、８Ｒ大当り遊技が付与される場合、［１１１］［２２２］［４４４］［５５５］［６６６］［８８８］の中から大当りの図柄組み合わせを決定する。
【００７０】
また、演出制御用ＣＰＵ３１ａは、図柄Ｃ又は小当り図柄（図柄Ｄ）が指定された場合、つまり、８Ｒ短縮大当り遊技又は小当り遊技が付与される場合、［１２１］［２３２］［３４３］［４５４］［５６５］［６７６］［７８７］［８１８］の中から確変示唆の図柄組み合わせを決定する。また、演出制御用ＣＰＵ３１ａは、はずれ図柄が指定されるとともに、はずれリーチ演出用の変動パターンＨＰ２〜ＨＰ６が指定された場合、リーチの図柄組み合わせを含むはずれの図柄組み合わせ（例えば、［３２３］［６７６］など）の中からはずれの図柄組み合わせを決定する。また、演出制御用ＣＰＵ３１ａは、はずれ図柄が指定されるとともに、はずれ通常演出用の変動パターンＨＰ１が指定された場合、リーチの図柄組み合わせを含まないはずれの図柄組み合わせ（例えば、［２３４］［５６６］など）の中からはずれの図柄組み合わせを決定する。
【００７１】
また、演出制御用ＣＰＵ３１ａは、指定された変動パターンが擬似連演出を実行させる変動パターンである場合には、擬似連演出を実行する。
演出制御用ＣＰＵ３１ａは、擬似連演出を実行させる変動パターンが指定された場合、変動サイクルの実行開始毎に、変動サイクル実行回数を演出制御用ＲＡＭ３１ｃから読み出して、１加算し、当該加算後の変動サイクル実行回数を演出制御用ＲＡＭ３１ｃに記憶する。なお、本実施形態において、演出制御用ＣＰＵ３１ａは、演出制御用ＲＡＭ３１ｃに記憶した変動サイクル実行回数の値を参照して、実行する変動サイクルが何回目の変動サイクルであるかについて特定することができる。また、演出制御用ＣＰＵ３１ａは、図柄変動ゲームの実行が終了すると、演出制御用ＲＡＭ３１ｃに記憶した変動サイクル実行回数をリセット（「０」を設定）する。
【００７２】
また、擬似連演出を実行させる変動パターンが指定された場合、演出制御用ＣＰＵ３１ａは、特定した変動サイクルの回数に応じて、最終回の変動サイクルにおいて確定停止表示させる図柄組み合わせ以外に、最終回以外の変動サイクル毎に一旦停止表示させるはずれの図柄組み合わせを決定する。このとき、演出制御用ＣＰＵ３１ａは、リーチの図柄組み合わせを含まないはずれの図柄組み合わせを、最終回以外の変動サイクルにて一旦停止表示させるはずれの図柄組み合わせとして決定する。
【００７３】
また、擬似連演出を実行させる変動パターンには、各変動サイクルの実行開始時点と、実行終了時点が予め定められており、演出制御用ＣＰＵ３１ａは、変動サイクルの実行開始時点において各列の飾り図柄を変動表示させるように演出表示装置１１の表示内容を制御する。また、演出制御用ＣＰＵ３１ａは、実行した変動サイクルが最終回以外の変動サイクルである場合には、変動サイクルの実行終了時点において、先に決定したはずれの図柄組み合わせを一旦停止表示させるように演出表示装置１１の表示内容を制御する。また、演出制御用ＣＰＵ３１ａは、実行した変動サイクルが最終回の変動サイクルである場合には、変動サイクルの実行終了時点において、先に決定した確定停止表示させる図柄組み合わせを一旦停止表示させるように演出表示装置１１の表示内容を制御する。
【００７４】
また、本実施形態では、図柄変動ゲームが大当りになる可能性を示唆する予告演出を、１回の図柄変動ゲームにおいて複数回実行するようになっている。また、本実施形態では、実行される予告演出の演出内容によって、大当りへの期待感を異ならせている。なお、本実施形態のパチンコ遊技機における予告演出の演出内容には、「青色演出内容」、「赤色演出内容」、「縦縞演出内容」及び「横縞演出内容」がある。また、本実施形態では、「青色演出内容」→「赤色演出内容」→「縦縞演出内容」→「横縞演出内容」の順に、大当りへの期待感が高まるように、予告演出の演出内容の決定率（選択率）が定められている。
【００７５】
また、本実施形態では、指定された特別図柄の種類毎に、縦縞演出内容の予告演出を実行することの可能な回数や、横縞演出内容の予告演出を実行することの可能な回数の上限回数（実行可能回数）が予め決められている。本実施形態では、図柄Ａが指定された場合、つまり、１６Ｒ大当り遊技が付与される場合、縦縞演出内容の予告演出を３回以上実行され得るように予告演出の演出内容が決定されるようになっている。また、図柄Ａが指定された場合、横縞演出内容の予告演出を１回以上実行され得るように予告演出の演出内容が決定されるようになっている。つまり、本実施形態では、図５に示すように、図柄Ａが指定された場合、縦縞演出内容の予告演出を３回以上実行可能であること、及び横縞演出内容の予告演出を１回以上実行可能であることが決められている。本実施形態では、図柄Ａが指定された際の縦縞演出内容の予告演出の実行可能回数として「３回以上」が決められている。また、図柄Ｂが指定された場合、つまり、８Ｒ大当り遊技が付与される場合、縦縞演出内容の予告演出を２回まで実行可能であること、及び横縞演出内容の予告演出を実行可能でないことが決められている。すなわち、本実施形態では、図柄Ｂが指定された際の縦縞演出内容の予告演出の実行可能回数として「２回」が決められている。
【００７６】
また、図柄Ｃが指定された場合、つまり、８Ｒ短縮大当り遊技が付与される場合、縦縞演出内容の予告演出を１回まで実行可能であること、及び横縞演出内容の予告演出を実行可能でないことが決められている。すなわち、本実施形態では、図柄Ｃが指定された際の縦縞演出内容の予告演出の実行可能回数として「１回」が決められている。また、本実施形態では、図柄Ｄ（小当り図柄）が指定された場合、つまり、小当りである場合、縦縞演出内容及び横縞演出内容の予告演出が１回も実行されないように予告演出の演出内容を決定されるようになっている。つまり、図５に示すように、図柄Ｄが指定された場合、縦縞演出内容の予告演出及び横縞演出内容の予告演出が実行可能でないことが決められている。本実施形態では、図柄Ｄが指定された際の縦縞演出内容の予告演出の実行可能回数として「０回」が決められている。また、はずれ図柄が指定された場合、つまり、はずれである場合、縦縞演出内容の予告演出を１回まで実行可能であること、及び横縞演出内容の予告演出が実行可能でないことが決められている。すなわち、本実施形態では、はずれ図柄が指定された際の縦縞演出内容の予告演出の実行可能回数として「１回」が決められている。
【００７７】
また、本実施形態では、大当りになる可能性を示唆する予告演出は、「変動サイクル毎（擬似連演出を実行しないとき及び最終回の変動サイクルでは、リーチ演出前）」、「リーチの図柄組み合わせが一旦停止表示されたとき」、「ノーマルリーチ演出からスーパーリーチ演出への発展時」及び「スーパーリーチ演出終了直前」に実行される。なお、本実施形態における「スーパーリーチ演出終了直前」とは、スーパーリーチ演出において、中列の飾り図柄（図柄変動ゲームの演出結果）が一旦停止表示される直前のタイミングである。以下、「変動サイクル毎（擬似連演出を実行しないとき及び最終回の変動サイクルでは、リーチ演出前）」を「第１実行期間」と示し、「リーチの図柄組み合わせが一旦停止表示されたとき」を「第２実行期間」と示す。また、「ノーマルリーチ演出からスーパーリーチ演出への発展時」を「第３実行期間」と示し、「スーパーリーチ演出終了直前」を「第４実行期間」と示す。また、本実施形態では、実行期間（時点）によって、予告演出の演出態様を異ならせている。
【００７８】
そして、演出制御用ＣＰＵ３１ａは、変動パターン及び特別図柄が指定されると、当該指定された変動パターン及び特別図柄に基づいて、図柄変動ゲーム最後の実行期間までの各実行期間にて実行する予告演出の演出内容を、図柄変動ゲームの開始時点から近い第１実行期間から、図柄変動ゲームの終了時点に近い実行期間にかけて順番に決定する。例えば、スーパーリーチ演出を演出内容に含む変動パターンが指定された場合、演出制御用ＣＰＵ３１ａは、図柄変動ゲームの終了時点に近い実行期間が第４実行期間となり、第１実行期間における予告演出の演出内容を決定した後に、第２実行期間における予告演出の演出内容を決定する。また、第２実行期間における予告演出の演出内容を決定した演出制御用ＣＰＵ３１ａは、第３実行期間における予告演出の演出内容を決定した後に、第４実行期間における予告演出の演出内容を決定する。以下、各実行期間における予告演出と、各実行期間における予告演出の演出内容の決定に係る制御について説明する。
【００７９】
まず、第１実行期間において実行される予告演出について説明する。
第１実行期間において予告演出を実行する場合、画像表示部ＧＨには、服を着たキャラクタが表示される。そして、第１実行期間にて青色演出内容で予告演出が実行された場合には、青色の服を着たキャラクタが画像表示部ＧＨに表示されるようになっている。また、第１実行期間にて赤色演出内容で予告演出が実行された場合には、赤色の服を着たキャラクタが画像表示部ＧＨに表示されるようになっている。また、第１実行期間にて縦縞演出内容で予告演出が実行された場合には、縦縞模様の服を着たキャラクタが画像表示部ＧＨに表示されるようになっている。また、第１実行期間にて横縞演出内容で予告演出が実行された場合には、横縞模様の服を着たキャラクタが画像表示部ＧＨに表示されるようになっている。
【００８０】
ここで、第１実行期間にて実行する予告演出の演出内容の決定に係る制御について説明する。
演出制御用ＣＰＵ３１ａは、擬似連演出を実行させない変動パターンＨＰ１〜ＨＰ３，ＨＰ７，ＨＰ８，ＨＰ１３が指定された場合には、当該変動パターンに基づき、図６に示す第１実行期間演出内容決定テーブルＹＴ１１を参照して、第１実行期間にて実行する予告演出の演出内容を決定する。第１実行期間演出内容決定テーブルＹＴ１１では、指定された変動パターン及び特別図柄の種類に応じて、第１実行期間における予告演出の演出内容毎の選択率が定められている。具体的には、第１実行期間演出内容決定テーブルＹＴ１１では、はずれ通常演出用の変動パターンＨＰ１若しくはノーマルリーチ演出のみを演出内容に含むはずれリーチ演出用の変動パターンＨＰ２が指定された場合、縦縞演出内容及び横縞演出内容の予告演出を第１実行期間にて実行することが決定されないように選択率が定められている。また、第１実行期間演出内容決定テーブルでは、スーパーリーチ演出を演出内容に含むはずれリーチ演出用の変動パターンＨＰ３が指定された場合、横縞演出内容の予告演出を第１実行期間にて実行することが決定されないように選択率が定められている。
【００８１】
また、第１実行期間演出内容決定テーブルＹＴ１１では、大当り演出用の変動パターンＨＰ７，ＨＰ８が指定された場合であっても、図柄Ａが指定されたときには、横縞演出内容の予告演出を第１実行期間にて実行することが決定され得るように選択率が定められている。一方で、図柄Ｂが指定されたときには、横縞演出内容の予告演出を第１実行期間にて実行することが決定されないように選択率が定められている。また、第１実行期間演出内容決定テーブルＹＴ１１では、確変示唆演出用の変動パターンＨＰ１３が指定された場合には、横縞演出内容の予告演出を第１実行期間にて実行することが決定されないように選択率が定められている。また、第１実行期間演出内容決定テーブルＹＴ１１では、確変示唆演出用の変動パターンＨＰ１３が指定された場合であっても、図柄Ｃが指定されたときには、縦縞演出内容の予告演出を第１実行期間にて実行することが決定され得るように選択率が定められている。一方で、図柄Ｄが指定されたときには、縦縞演出内容の予告演出を第１実行期間にて実行することが決定されないように選択率が定められている。
【００８２】
なお、第１実行期間演出内容決定テーブルＹＴ１１では、はずれ演出用の変動パターンが指定された場合には、第１実行期間にて、青色演出内容の予告演出を実行することを、赤色演出内容の予告演出を実行することよりも高確率で決定されるように選択率が定められている。その一方で、大当り演出用の変動パターンが指定された場合には、第１実行期間にて、赤色演出内容の予告演出を実行することを、青色演出内容の予告演出を実行することよりも高確率で決定されるように選択率が定められている。
【００８３】
演出制御用ＣＰＵ３１ａは、第１実行期間演出内容決定テーブルＹＴ１１を参照して、第１実行期間にて実行する予告演出の演出内容を決定すると、当該第１実行期間にて実行する予告演出の演出内容を特定可能な第１実行期間情報を、図柄変動ゲームが終了するまでの間、演出制御用ＲＡＭ３１ｃに記憶する。
【００８４】
また、演出制御用ＣＰＵ３１ａは、第１実行期間演出内容決定テーブルＹＴ１１を参照して、第１実行期間にて縦縞演出内容の予告演出の実行を決定した場合、実行する図柄変動ゲームにおいて縦縞演出内容の予告演出を実行すると決定した回数を示す縦縞実行回数に「１」を加算し、演出制御用ＲＡＭ３１ｃに記憶する。
【００８５】
また、演出制御用ＣＰＵ３１ａは、擬似連演出を実行させる変動パターンＨＰ４〜ＨＰ６，ＨＰ９〜ＨＰ１２，ＨＰ１４，ＨＰ１５が指定された場合には、当該変動パターンに基づき、図７に示す第１実行期間演出内容決定テーブルＹＴ１２を参照して、各変動サイクルの第１実行期間にて実行する予告演出の演出内容を決定する。なお、演出制御用ＣＰＵ３１ａは、第１実行期間演出内容決定テーブルＹＴ１２を参照して、各変動サイクルの第１実行期間にて実行する予告演出の演出内容が定められた演出パターンを決定することにより、各変動サイクルの第１実行期間にて実行する予告演出の演出内容を決定する。以下、本実施形態における演出パターンについて、図８に基づき説明する。
【００８６】
本実施形態では、図８に示すように、演出パターンＥＰ１〜ＥＰ２０の２０個に分類される演出パターンがあり、それら演出パターンは演出制御用ＲＯＭ３１ｂに記憶されている。また、演出パターンでは、次の変動サイクルにて実行される予告演出の演出内容が示唆する大当り期待度が、今回の変動サイクルにて実行される予告演出の演出内容が示唆する大当り期待度以上の大当り期待度を示唆するように、各変動サイクルの第１実行期間で実行する予告演出の演出内容が定められている。すなわち、演出パターンでは、最終回の変動サイクルにて実行させる予告演出の演出内容が、最終回以外の変動サイクルにて実行させる予告演出の演出内容が示唆する大当り期待度以上の大当り期待度を示唆するように各変動サイクルの第１実行期間にて実行する予告演出の演出内容が定められている。
【００８７】
演出パターンＥＰ１〜ＥＰ５は、変動サイクルの回数が「２回」の擬似連演出を実行させる変動パターンが指定された場合に決定可能な変動サイクル２回用の演出パターンである。また、演出パターンＥＰ６〜ＥＰ１１は、変動サイクルの回数が「３回」の擬似連演出を実行させる変動パターンが指定された場合に決定可能な変動サイクル３回用の演出パターンである。また、演出パターンＥＰ１２〜ＥＰ１７は、変動サイクルの回数が「４回」の擬似連演出を実行させる変動パターンが指定された場合に決定可能な変動サイクル４回用の演出パターンである。また、演出パターンＥＰ１８〜ＥＰ２０は、変動サイクルの回数が「５回」の擬似連演出を実行させる変動パターンが指定された場合に決定可能な変動サイクル５回用の演出パターンである。
【００８８】
演出パターンＥＰ１，ＥＰ６，ＥＰ１２は、最終回の変動サイクルにおける第１実行期間にて「青色演出内容」の予告演出を実行させることが定められた演出パターンである。本実施形態では、青色演出内容の予告演出が示唆する大当り期待度以下の大当り期待度を示唆する演出内容が青色演出内容以外にない。そのため、演出パターンＥＰ１，ＥＰ６，ＥＰ１２は、全ての変動サイクルにおける第１実行期間にて青色演出内容の予告演出を実行することが定められた演出パターンである。
【００８９】
また、演出パターンＥＰ２，ＥＰ７，ＥＰ１３は、最終回の変動サイクルにおける第１実行期間にて「赤色演出内容」の予告演出を実行させることが定められた演出パターンである。なお、演出パターンＥＰ２，ＥＰ７，ＥＰ１３には、最終回以外の変動サイクルにおける第１実行期間にて実行させる予告演出の演出内容（青色演出内容及び赤色演出内容）の組み合わせが異なる種類が複数ある。例えば、演出パターンＥＰ７には、１回目及び２回目の変動サイクルの第１実行期間にて青色演出内容の予告演出を実行させることが定められた種類がある。また、演出パターンＥＰ７には、１回目の変動サイクルの第１実行期間にて青色演出内容の予告演出を実行させて、２回目の変動サイクルの第１実行期間にて赤色演出内容の予告演出を実行させることが定められた種類がある。また、演出パターンＥＰ７には、１回目及び２回目の変動サイクルの第１実行期間にて赤色演出内容の予告演出を実行させることが定められた種類がある。すなわち、演出パターンＥＰ７には、最終回以外の変動サイクルにおける第１実行期間にて実行する予告演出の演出内容の組み合わせが３種類ある。
【００９０】
また、演出パターンＥＰ３，ＥＰ８，ＥＰ１４は、最終回の変動サイクルにおける第１実行期間にて「縦縞演出内容」の予告演出を実行させることが定められるとともに、最終回以外の変動サイクルにて縦縞演出内容の予告演出を実行させないことが定められた演出パターンである。なお、演出パターンＥＰ３，ＥＰ８，ＥＰ１４は、最終回以外の変動サイクルにおける第１実行期間にて実行させる予告演出の演出内容（青色演出内容及び赤色演出内容）の組み合わせが異なる種類が複数ある。
【００９１】
また、演出パターンＥＰ４，ＥＰ９，ＥＰ１５，ＥＰ１８は、最終回及び最終回よりも１回前の変動サイクルにおける第１実行期間にて「縦縞演出内容」の予告演出を実行させることが定められた演出パターンである。すなわち、演出パターンＥＰ４，ＥＰ９，ＥＰ１５，ＥＰ１８は、複数回の変動サイクルのうち、２つの変動サイクルにおける第１実行期間にて縦縞演出内容の予告演出を実行させる演出パターンである。このため、演出パターンＥＰ４，ＥＰ９，ＥＰ１５，ＥＰ１８が決定されることは、縦縞演出内容の予告演出を２回実行させることが決定されたことになる。なお、演出パターンＥＰ９，ＥＰ１５，ＥＰ１８は、最終回及び最終回よりも１回前の変動サイクル以外の変動サイクルにおける第１実行期間にて実行させる予告演出の演出内容（青色演出内容及び赤色演出内容）の組み合わせが異なる種類が複数ある。
【００９２】
また、演出パターンＥＰ１０，ＥＰ１６，ＥＰ１９は、最終回と最終回よりも１回前、最終回よりも２回前の変動サイクルにおける第１実行期間にて「縦縞演出内容」の予告演出を実行させることが定められた演出パターンである。すなわち、演出パターンＥＰ１０，ＥＰ１６，ＥＰ１９は、複数回の変動サイクルのうち、３つの変動サイクルにおける第１実行期間にて縦縞演出内容の予告演出を実行させる演出パターンである。このため、演出パターンＥＰ１０，ＥＰ１６，ＥＰ１９が決定されることは、縦縞演出内容の予告演出を３回実行させることが決定されたことになる。なお、演出パターンＥＰ１６，ＥＰ１９は、最終回と最終回よりも１回前、最終回よりも２回前の変動サイクル以外の変動サイクルにおける第１実行期間にて実行させる予告演出の演出内容（青色演出内容及び赤色演出内容）の組み合わせが異なる種類が複数ある。
【００９３】
また、演出パターンＥＰ５，ＥＰ１１，ＥＰ１７，ＥＰ２０は、最終回の変動サイクルにおける第１実行期間にて「横縞演出内容」の予告演出を実行させることが定められた演出パターンである。なお、演出パターンＥＰ５，ＥＰ１１，ＥＰ１７，ＥＰ２０は、最終回以外の変動サイクルにおける第１実行期間にて実行させる予告演出の演出内容（青色演出内容及び赤色演出内容）の組み合わせが異なる種類が複数ある。
【００９４】
以下、演出パターンの決定（各変動サイクルにおける第１実行期間の予告演出の演出内容の決定）に係る制御について説明する。
演出制御用ＣＰＵ３１ａは、変動サイクルの回数が「２回」の擬似連演出を実行させる変動パターンＨＰ４，ＨＰ９，ＨＰ１４が指定された場合、図７に示す第１実行期間演出内容決定テーブルＹＴ１２を参照して、演出パターンＥＰ１〜ＥＰ５のうち何れかに分類される種類の演出パターンを決定する。また、演出制御用ＣＰＵ３１ａは、変動サイクルの回数が「３回」の擬似連演出を実行させる変動パターンＨＰ５，ＨＰ１０，ＨＰ１５が指定された場合、第１実行期間演出内容決定テーブルＹＴ１２を参照して、演出パターンＥＰ６〜ＥＰ１１のうち何れかに分類される種類の演出パターンを決定する。また、演出制御用ＣＰＵ３１ａは、変動サイクルの回数が「４回」の擬似連演出を実行させる変動パターンＨＰ６，ＨＰ１１が指定された場合、第１実行期間演出内容決定テーブルＹＴ１２を参照して、演出パターンＥＰ１２〜ＥＰ１７のうち何れかに分類される種類の演出パターンを決定する。また、演出制御用ＣＰＵ３１ａは、変動サイクルの回数が「５回」の擬似連演出を実行させる変動パターンＨＰ１２が指定された場合、第１実行期間演出内容決定テーブルＹＴ１２を参照して、演出パターンＥＰ１８〜ＥＰ２０のうち何れかに分類される種類の演出パターンを決定する。
【００９５】
第１実行期間演出内容決定テーブルＹＴ１２では、はずれ図柄、図柄Ｂ、図柄Ｃ又は図柄Ｄが指定された場合、最終回の変動サイクルにおける第１実行期間にて横縞演出内容の予告演出を実行させることが定められた演出パターンが決定されないように選択率が定められている。また、第１実行期間演出内容決定テーブルＹＴ１２では、はずれ図柄、図柄Ｂ、図柄Ｃ又は図柄Ｄが指定された場合、複数回の変動サイクルのうち、３回の変動サイクルにおける第１実行期間にて縦縞演出内容の予告演出を実行させることが定められた演出パターンが決定されないように選択率が定められている。つまり、第１実行期間演出内容決定テーブルＹＴ１２では、はずれ図柄、図柄Ｂ、図柄Ｃ又は図柄Ｄが指定された場合、複数回の第１期間において、縦縞演出内容の予告演出が３回実行されないように演出パターンを決定する選択率が定められている。
【００９６】
また、第１実行期間演出内容決定テーブルＹＴ１２では、はずれ図柄、図柄Ｃ又は図柄Ｄが指定された場合、複数回の変動サイクルのうち、２回の変動サイクルにおける第１実行期間にて縦縞演出内容の予告演出を実行させることが定められた演出パターンが決定されないように選択率が定められている。つまり、第１実行期間演出内容決定テーブルＹＴ１２では、はずれ図柄、図柄Ｃ又は図柄Ｄが指定された場合、複数回の第１期間において、縦縞演出内容の予告演出が２回実行されないように演出パターンを決定する選択率が定められている。また、第１実行期間演出内容決定テーブルＹＴ１２では、図柄Ｄが指定された場合、最終回の変動サイクルにおける第１実行期間でのみ（１回の変動サイクルにおける第１実行期間にて）縦縞演出内容の予告演出を実行させることが定められた演出パターンが決定されないように選択率が定められている。つまり、第１実行期間演出内容決定テーブルＹＴ１２では、図柄Ｄが指定された場合、複数回の第１期間において、縦縞演出内容の予告演出が実行されないように演出パターンを決定する選択率が定められている。
【００９７】
また、第１実行期間演出内容決定テーブルＹＴ１２では、はずれリーチ演出用の変動パターンが指定された場合、大当り演出用の変動パターンが指定された場合と比較して、最終回の変動サイクルにおける第１実行期間に青色演出内容の予告演出を実行させることが定められた演出パターンが決定されやすいように選択率が定められている。また、第１実行期間演出内容決定テーブルＹＴ１２では、はずれリーチ演出用の変動パターンが指定された場合、大当り演出用の変動パターンが指定された場合と比較して、最終回の変動サイクルにおける第１実行期間に赤色演出内容の予告演出を実行させることが定められた演出パターンが決定され難いように選択率が定められている。
【００９８】
また、第１実行期間演出内容決定テーブルＹＴ１２では、図示しないが、同じ演出パターンに分類される種類の演出パターンの中でも、大当りのときには、はずれのときと比較して、最終回以外の変動サイクルにおける第１実行期間にて赤色演出内容の予告演出が実行される回数が多い種類の演出パターンが決定され易いように選択率が定められている。また、第１実行期間演出内容決定テーブルＹＴ１２では、同じパターンに分類される種類の演出パターンの中でも、図柄Ｃが指定されたときには、図柄Ｄが指定されたときと比較して、最終回以外の変動サイクルにおける第１実行期間にて赤色演出内容の予告演出が実行される回数が多い種類の演出パターンが決定され易いように選択率が定められている。
【００９９】
また、各変動サイクルにおける第１実行期間にて実行する予告演出の演出内容を決定した演出制御用ＣＰＵ３１ａは、当該各第１実行期間にて実行する予告演出の演出内容（決定した演出パターン）を特定可能な情報を第１実行期間情報として、図柄変動ゲームが終了するまでの間、演出制御用ＲＡＭ３１ｃに記憶する。
【０１００】
また、演出制御用ＣＰＵ３１ａは、第１実行期間演出内容決定テーブルＹＴ１２を参照して、複数回の変動サイクルのうち１回の変動サイクルにおける第１実行期間にて縦縞演出内容の予告演出を実行させることが定められた演出パターンが決定された場合、縦縞実行回数に「１」を加算し、演出制御用ＲＡＭ３１ｃに記憶する。また、演出制御用ＣＰＵ３１ａは、第１実行期間演出内容決定テーブルＹＴ１２を参照して、複数回の変動サイクルのうち２回の変動サイクルにおける第１実行期間にて縦縞演出内容の予告演出を実行させることが定められた演出パターンを決定した場合、縦縞実行回数に「２」を加算し、演出制御用ＲＡＭ３１ｃに記憶する。また、演出制御用ＣＰＵ３１ａは、第１実行期間演出内容決定テーブルＹＴ１２を参照して、複数回の変動サイクルのうち３回の変動サイクルにおける第１実行期間にて縦縞演出内容の予告演出を実行させることが定められた演出パターンを決定した場合、縦縞実行回数に「３」を加算し、演出制御用ＲＡＭ３１ｃに記憶する。
【０１０１】
次に、第２実行期間において実行される予告演出について説明する。
第２実行期間において予告演出を実行する場合、画像表示部ＧＨには、「リーチ」の文字が表示される。そして、第２実行期間にて青色演出内容で予告演出が実行された場合には「リーチ」の文字が青色に装飾されて画像表示部ＧＨに表示されるようになっている。また、第２実行期間にて赤色演出内容で予告演出が実行された場合には「リーチ」の文字が赤色に装飾されて画像表示部ＧＨに表示されるようになっている。また、第２実行期間にて縦縞演出内容で予告演出が実行された場合には「リーチ」の文字が縦縞模様に装飾されて画像表示部ＧＨに表示されるようになっている。また、第２実行期間にて横縞演出内容で予告演出が実行された場合には「リーチ」の文字が横縞模様に装飾されて画像表示部ＧＨに表示されるようになっている。
【０１０２】
ここで、第２実行期間にて実行する予告演出の演出内容の決定に係る制御について説明する。
演出制御用ＣＰＵ３１ａは、リーチ演出を演出内容に含む変動パターンＨＰ２〜ＨＰ１５が指定された場合、第２実行期間にて実行する予告演出の演出内容を決定する。具体的には、演出制御用ＣＰＵ３１ａは、変動パターンＨＰ２〜ＨＰ１５が指定された場合、第１実行期間における予告演出の演出内容を決定した後、演出制御用ＲＡＭ３１ｃに記憶した縦縞実行回数が、予め決められた実行可能回数に達しているか否かを判定する。具体的には、演出制御用ＣＰＵ３１ａは、図柄Ｂが指定された場合には、縦縞実行回数が「２」であるか否かを判定する。また、演出制御用ＣＰＵ３１ａは、はずれ図柄又は図柄Ｃが指定された場合には、縦縞実行回数が「１」であるか否かを判定する。なお、本実施形態において演出制御用ＣＰＵ３１ａは、図柄Ａ及び図柄Ｄが指定された場合、縦縞実行回数と実行可能回数を比較及び判定しないようになっている。また、このとき演出制御用ＲＡＭ３１ｃに記憶された縦縞実行回数は、第１実行期間にて縦縞演出内容の予告演出を実行すると決定した数を示す。
【０１０３】
そして、縦縞実行回数が実行可能回数に達していない場合、若しくは、図柄Ａ又は図柄Ｄが指定された場合、演出制御用ＣＰＵ３１ａは、図９（ａ）に示す第２実行期間演出内容決定テーブルＹＴ２１を参照して、第２実行期間にて実行する予告演出の演出内容を決定する。第２実行期間演出内容決定テーブルＹＴ２１では、指定された変動パターン及び特別図柄の種類に応じて、第２実行期間における予告演出の演出内容毎の選択率が定められている。具体的には、第２実行期間演出内容決定テーブルＹＴ２１では、ノーマルリーチ演出のみを演出内容に含む変動パターンＨＰ２が指定された場合、縦縞演出内容及び横縞演出内容の予告演出を第２実行期間にて実行することが決定されないように選択率が定められている。また、第２実行期間演出内容決定テーブルＹＴ２１では、スーパーリーチ演出を演出内容に含むはずれリーチ演出用の変動パターンＨＰ３〜ＨＰ６が指定された場合、横縞演出内容の予告演出を第２実行期間にて実行することが決定されないように選択率が定められている。
【０１０４】
また、第２実行期間演出内容決定テーブルＹＴ２１では、大当り演出用の変動パターンＨＰ７〜ＨＰ１２が指定された場合であって、図柄Ａが指定されたときには、横縞演出内容の予告演出を第２実行期間にて実行することが決定され得るように選択率が定められている。一方で、図柄Ｂが指定されたときには横縞演出内容の予告演出を第２実行期間にて実行することが決定されないように選択率が定められている。また、第２実行期間演出内容決定テーブルＹＴ２１では、確変示唆演出用の変動パターンＨＰ１３〜ＨＰ１５が指定された場合には、横縞演出内容の予告演出を第２実行期間にて実行することが決定されないように選択率が定められている。また、第２実行期間演出内容決定テーブルＹＴ２１では、確変示唆演出用の変動パターンＨＰ１３〜ＨＰ１５が指定された場合であっても、図柄Ｃが指定されたときには、縦縞演出内容の予告演出を第２実行期間にて実行することが決定され得るように選択率が定められている。一方で、図柄Ｄが指定されたときには、縦縞演出内容の予告演出を第２実行期間にて実行することが決定されないように選択率が定められている。
【０１０５】
また、第２実行期間演出内容決定テーブルＹＴ２１では、第１実行期間演出内容決定テーブルＹＴ１１を参照するよりも、縦縞演出内容及び横縞演出内容の何れかの演出内容が決定されやすくなっている。例えば、図柄Ａが指定された場合、第１実行期間演出内容決定テーブルＹＴ１１を参照する場合には２５％（１９％＋６％）の確率で縦縞演出内容又は横縞演出内容が決定される一方で、第２実行期間演出内容決定テーブルＹＴ２１を参照する場合には３０％（２３％＋７％）の確率で縦縞演出内容が決定される。このように、本実施形態では、第１実行期間よりも第２実行期間の方が、縦縞演出内容及び横縞演出内容の何れかの演出内容の予告演出が実行される期待感が高まるようになっている。
【０１０６】
なお、第２実行期間演出内容決定テーブルＹＴ２１では、はずれリーチ演出用の変動パターンが指定された場合には、第２実行期間にて、青色演出内容の予告演出を実行することを、赤色演出内容の予告演出を実行することよりも高確率で決定されるように選択率が定められている。その一方で、第２実行期間演出内容決定テーブルＹＴ２１では、大当り演出用の変動パターンが指定された場合、第２実行期間にて赤色演出内容の予告演出を実行することを、青色演出内容の予告演出を実行することよりも高確率で決定されるように選択率が定められている。
【０１０７】
また、演出制御用ＣＰＵ３１ａは、第２実行期間演出内容決定テーブルＹＴ２１を参照して、第２実行期間にて縦縞演出内容の予告演出を実行すると決定すると、縦縞実行回数を読み出し、１加算して、加算後の値を縦縞実行回数として再び演出制御用ＲＡＭ３１ｃに記憶する。
【０１０８】
一方、上記判定において縦縞実行回数が実行可能回数に達している場合、演出制御用ＣＰＵ３１ａは、図９（ｂ）に示す第２実行期間演出内容決定テーブルＹＴ２２を参照して、第２実行期間にて実行する予告演出の演出内容を決定する。第２実行期間演出内容決定テーブルＹＴ２２では、指定された変動パターン及び特別図柄の種類に応じて、第２実行期間における予告演出の演出内容毎の選択率が定められている。具体的には、第２実行期間演出内容決定テーブルＹＴ２２では、指定された変動パターン及び特別図柄の種類に関係なく、縦縞演出内容及び横縞演出内容の予告演出を第２実行期間にて実行することが決定されないように選択率が定められている。また、第２実行期間演出内容決定テーブルＹＴ２２では、はずれリーチ演出用の変動パターンが指定された場合、第２実行期間にて、青色演出内容の予告演出を実行することを、赤色演出内容の予告演出を実行することよりも高確率で決定されるように選択率が定められている。その一方で、第２実行期間演出内容決定テーブルＹＴ２２では、大当り演出用の変動パターン及び確変示唆演出用の変動パターンが指定された場合、第２実行期間にて、赤色演出内容の予告演出を実行することを、青色演出内容の予告演出を実行することよりも高確率で決定されるように選択率が定められている。
【０１０９】
なお、演出制御用ＣＰＵ３１ａは、第２実行期間演出内容決定テーブルＹＴ２１，ＹＴ２２を参照して、第２実行期間にて実行する予告演出の演出内容を決定すると、当該第２実行期間にて実行する予告演出の演出内容を特定可能な第２実行期間情報を、図柄変動ゲームが終了するまでの間、演出制御用ＲＡＭ３１ｃに記憶する。
【０１１０】
次に、第３実行期間において実行される予告演出について説明する。
第３実行期間において予告演出を実行する場合、画像表示部ＧＨには、ノーマルリーチ演出から発展したことを示す「スーパーリーチ演出の名称（例えば、「○○リーチ」）」の文字が表示される。そして、第３実行期間にて青色演出内容で予告演出が実行された場合には「スーパーリーチ演出の名称」の文字が青色に装飾されて画像表示部ＧＨに表示されるようになっている。また、第３実行期間にて赤色演出内容で予告演出が実行された場合には「スーパーリーチ演出の名称」の文字が赤色に装飾されて画像表示部ＧＨに表示されるようになっている。また、第３実行期間にて縦縞演出内容で予告演出が実行された場合には「スーパーリーチ演出の名称」の文字が縦縞模様に装飾されて画像表示部ＧＨに表示されるようになっている。また、第３実行期間にて横縞演出内容で予告演出が実行された場合には「スーパーリーチ演出の名称」の文字が横縞模様に装飾されて画像表示部ＧＨに表示されるようになっている。
【０１１１】
ここで、第３実行期間にて実行する予告演出の演出内容の決定に係る制御について説明する。
演出制御用ＣＰＵ３１ａは、スーパーリーチ演出を演出内容に含む変動パターンＨＰ３〜ＨＰ６，ＨＰ８〜ＨＰ１５が指定された場合、第３実行期間にて実行する予告演出の演出内容を決定する。具体的には、演出制御用ＣＰＵ３１ａは、変動パターンＨＰ３〜ＨＰ６，ＨＰ８〜ＨＰ１５が指定された場合、第１実行期間及び第２実行期間における予告演出の演出内容を決定した後、演出制御用ＲＡＭ３１ｃに記憶した縦縞実行回数が、予め決められた実行可能回数に達しているか否かを判定する。具体的には、演出制御用ＣＰＵ３１ａは、図柄Ｂが指定された場合には、縦縞実行回数が「２」であるか否かを判定する。また、演出制御用ＣＰＵ３１ａは、はずれ図柄又は図柄Ｃが指定された場合には、縦縞実行回数が「１」であるか否かを判定する。なお、本実施形態において演出制御用ＣＰＵ３１ａは、前述したように、図柄Ａ及び図柄Ｄが指定された場合、縦縞実行回数と実行可能回数を比較及び判定しないようになっている。また、このとき演出制御用ＲＡＭ３１ｃに記憶された縦縞実行回数は、第１実行期間及び第２実行期間にて縦縞演出内容の予告演出を実行すると決定した数を示す。
【０１１２】
そして、縦縞実行回数が実行可能回数に達していない場合、若しくは、図柄Ａ又は図柄Ｄが指定された場合、演出制御用ＣＰＵ３１ａは、図１０（ａ）に示す第３実行期間演出内容決定テーブルＹＴ３１を参照して、第３実行期間にて実行する予告演出の演出内容を決定する。第３実行期間演出内容決定テーブルＹＴ３１では、指定された変動パターン及び特別図柄の種類に応じて、第３実行期間における予告演出の演出内容毎の選択率が定められている。具体的には、第３実行期間演出内容決定テーブルＹＴ３１では、はずれリーチ演出用の変動パターンＨＰ３〜ＨＰ６が指定された場合、横縞演出内容の予告演出を第３実行期間にて実行することが決定されないように選択率が定められている。
【０１１３】
また、第３実行期間演出内容決定テーブルＹＴ３１では、大当り演出用の変動パターンＨＰ８〜ＨＰ１２が指定された場合であって、図柄Ａが指定されたときには、横縞演出内容の予告演出を第３実行期間にて実行することが決定され得るように選択率が定められている。一方で、図柄Ｂが指定されたときには横縞演出内容の予告演出を第３実行期間にて実行することが決定されないように選択率が定められている。また、第３実行期間演出内容決定テーブルＹＴ３１では、確変示唆演出用の変動パターンＨＰ１３〜ＨＰ１５が指定された場合、横縞演出内容の予告演出を第３実行期間にて実行することが決定されないように選択率が定められている。また、第３実行期間演出内容決定テーブルＹＴ３１では、確変示唆演出用の変動パターンＨＰ１３〜ＨＰ１５が指定された場合であっても、図柄Ｃが指定されたときには、縦縞演出内容の予告演出を第３実行期間にて実行することが決定され得るように選択率が定められている。一方、図柄Ｄが指定されたときには、縦縞演出内容の予告演出を第３実行期間にて実行することが決定されないように選択率が定められている。また、第３実行期間演出内容決定テーブルＹＴ３１では、第２実行期間演出内容決定テーブルＹＴ２１を参照するよりも、縦縞演出内容及び横縞演出内容の何れかの演出内容が決定されやすくなっている。例えば、図柄Ａが指定された場合、第２実行期間演出内容決定テーブルＹＴ２１を参照する場合には３０％（２３％＋７％）の確率で縦縞演出内容又は横縞演出内容が決定される一方で、第３実行期間演出内容決定テーブルＹＴ３１を参照する場合には３５％（２６％＋９％）の確率で縦縞演出内容又は横縞演出内容が決定される。このように、本実施形態では、第２実行期間よりも第３実行期間の方が、縦縞演出内容及び横縞演出内容の何れかの演出内容の予告演出が実行される期待感が高まるようになっている。
【０１１４】
なお、第３実行期間演出内容決定テーブルＹＴ３１では、はずれリーチ演出用の変動パターンが指定された場合、第３実行期間にて、青色演出内容の予告演出を実行することを、赤色演出内容の予告演出を実行することよりも高確率で決定されるように選択率が定められている。その一方で、大当り演出用の変動パターンが指定された場合には、第３実行期間にて、赤色演出内容の予告演出を実行することを、青色演出内容の予告演出を実行することよりも高確率で決定されるように選択率が定められている。
【０１１５】
また、演出制御用ＣＰＵ３１ａは、第３実行期間演出内容決定テーブルＹＴ３１を参照して、第３実行期間にて縦縞演出内容の予告演出を実行すると決定すると、縦縞実行回数を読み出し、１加算して、加算後の値を縦縞実行回数として再び演出制御用ＲＡＭ３１ｃに記憶する。
【０１１６】
一方、上記判定において縦縞実行回数が実行可能回数に達している場合、演出制御用ＣＰＵ３１ａは、図１０（ｂ）に示す第３実行期間演出内容決定テーブルＹＴ３２を参照して、第３実行期間にて実行する予告演出の演出内容を決定する。第３実行期間演出内容決定テーブルＹＴ３２では、指定された変動パターン及び特別図柄の種類に応じて、第３実行期間にて実行する予告演出の演出内容を決定する。具体的には、第３実行期間演出内容決定テーブルＹＴ３２では、指定された変動パターン及び特別図柄の種類に関係なく、縦縞演出内容及び横縞演出内容の予告演出を第３実行期間にて実行することが決定されないように選択率が定められている。また、第３実行期間演出内容決定テーブルＹＴ３２では、はずれリーチ演出用の変動パターンが指定された場合、第３実行期間にて、青色演出内容の予告演出を実行することを、赤色演出内容の予告演出を実行することよりも高確率で決定されるように選択率が定められている。その一方で、第３実行期間演出内容決定テーブルＹＴ３２では、大当り演出用の変動パターン及び確変示唆演出用の変動パターンが指定された場合、第３実行期間にて、赤色演出内容の予告演出を実行することを、青色演出内容の予告演出を実行することよりも高確率で決定されるように選択率が定められている。
【０１１７】
なお、演出制御用ＣＰＵ３１ａは、第３実行期間演出内容決定テーブルＹＴ３１，ＹＴ３２を参照して、第３実行期間にて実行する予告演出の演出内容を決定すると、当該第３実行期間にて実行する予告演出の演出内容を特定可能な第３実行期間情報を、図柄変動ゲームが終了するまでの間、演出制御用ＲＡＭ３１ｃに記憶する。
【０１１８】
次に、第４実行期間において実行される予告演出について説明する。
第４実行期間において予告演出を実行する場合、画像表示部ＧＨには、キャラクタの画像が表示される。そして、第４実行期間にて青色演出内容で予告演出が実行された場合には、背景画像が青色に装飾されたキャラクタの画像が画像表示部ＧＨに表示されるようになっている。また、第４実行期間にて赤色演出内容で予告演出が実行された場合には、背景画像が赤色に装飾されたキャラクタの画像が画像表示部ＧＨに表示されるようになっている。また、第４実行期間にて縦縞演出内容で予告演出が実行された場合には、背景画像が縦縞模様に装飾されたキャラクタの画像が画像表示部ＧＨに表示されるようになっている。また、第４実行期間にて横縞演出内容で予告演出が実行された場合には、背景画像が横縞模様に装飾されたキャラクタの画像が画像表示部ＧＨに表示されるようになっている。
【０１１９】
ここで、第４実行期間にて実行する予告演出の演出内容の決定に係る制御について説明する。
演出制御用ＣＰＵ３１ａは、スーパーリーチ演出を演出内容に含む変動パターンＨＰ３〜ＨＰ６，ＨＰ８〜ＨＰ１５が指定された場合、第４実行期間にて実行する予告演出の演出内容を決定する。具体的には、演出制御用ＣＰＵ３１ａは、変動パターンＨＰ３〜ＨＰ６，ＨＰ８〜ＨＰ１５が指定された場合、第１実行期間〜第３実行期間における予告演出の演出内容を決定した後、演出制御用ＲＡＭ３１ｃに記憶した縦縞実行回数が、予め決められた実行可能回数に達しているか否かを判定する。具体的には、演出制御用ＣＰＵ３１ａは、図柄Ｂが指定された場合には、縦縞実行回数が「２」であるか否かを判定する。また、演出制御用ＣＰＵ３１ａは、はずれ図柄又は図柄Ｃが指定された場合には、縦縞実行回数が「１」であるか否かを判定する。なお、本実施形態において演出制御用ＣＰＵ３１ａは、前述したように、図柄Ａ及び図柄Ｄが指定された場合、縦縞実行回数と実行可能回数を比較及び判定しないようになっている。また、このとき演出制御用ＲＡＭ３１ｃに記憶された縦縞実行回数は、第１実行期間〜第３実行期間にて縦縞演出内容の予告演出を実行すると決定した数を示す。
【０１２０】
そして、縦縞実行回数が実行可能回数に達していない場合、若しくは、図柄Ａ又は図柄Ｄが指定された場合、演出制御用ＣＰＵ３１ａは、図１１（ａ）に示す第４実行期間演出内容決定テーブルＹＴ４１を参照して、第４実行期間にて実行する予告演出の演出内容を決定する。第４実行期間演出内容決定テーブルＹＴ４１では、指定された変動パターン及び特別図柄の種類に応じて、第４実行期間における予告演出の演出内容毎の選択率が定められている。具体的には、第４実行期間演出内容決定テーブルＹＴ４１では、はずれリーチ演出用の変動パターンＨＰ３〜ＨＰ６が指定された場合、横縞演出内容の予告演出を第４実行期間にて実行することが決定されないように選択率が定められている。
【０１２１】
また、第４実行期間演出内容決定テーブルＹＴ４１では、大当り演出用の変動パターンＨＰ７〜ＨＰ１２が指定された場合であって、図柄Ａが指定されたときには、横縞演出内容の予告演出を第４実行期間にて実行することが決定され得るように選択率が定められている。一方で、図柄Ｂが指定されたときには横縞演出内容の予告演出を第４実行期間にて実行することが決定されないように選択率が定められている。また、第４実行期間演出内容決定テーブルＹＴ４１では、確変示唆演出用の変動パターンＨＰ１３〜ＨＰ１５が指定された場合、横縞演出内容の予告演出を第４実行期間にて実行することが決定されないように選択率が定められている。また、第４実行期間演出内容決定テーブルＹＴ４１では、確変示唆演出用の変動パターンＨＰ１３〜ＨＰ１５が指定された場合であっても、図柄Ｃが指定されたときには、縦縞演出内容の予告演出を第４実行期間にて実行することが決定され得るように選択率が定められている。一方、図柄Ｄが指定されたときには、縦縞演出内容の予告演出を第４実行期間にて実行することが決定されないように選択率が定められている。また、第４実行期間演出内容決定テーブルＹＴ４１では、第３実行期間演出内容決定テーブルＹＴ３１を参照するよりも、縦縞演出内容及び横縞演出内容の何れかの演出内容が決定されやすくなっている。例えば、図柄Ａが指定された場合、第３実行期間演出内容決定テーブルＹＴ３１を参照する場合には３５％（２６％＋９％）の確率で縦縞演出内容又は横縞演出内容が決定される一方で、第４実行期間演出内容決定テーブルＹＴ４１を参照する場合には４０％（２９％＋１１％）の確率で縦縞演出内容又は横縞演出内容が決定される。このように、本実施形態では、第３実行期間よりも第４実行期間の方が、縦縞演出内容及び横縞演出内容の何れかの演出内容の予告演出が実行される期待感が高まるようになっている。
【０１２２】
なお、第４実行期間演出内容決定テーブルＹＴ４１では、はずれリーチ演出用の変動パターンが指定された場合、第４実行期間にて、青色演出内容の予告演出を実行することを、赤色演出内容の予告演出を実行することよりも高確率で決定されるように選択率が定められている。その一方で、第４実行期間演出内容決定テーブルＹＴ４１では、大当り演出用の変動パターンが指定された場合、第４実行期間にて、赤色演出内容の予告演出を実行することを、青色演出内容の予告演出を実行することよりも高確率で決定されるように選択率が定められている。
【０１２３】
また、演出制御用ＣＰＵ３１ａは、第４実行期間演出内容決定テーブルＹＴ４１を参照して、第４実行期間にて縦縞演出内容の予告演出を実行すると決定すると、縦縞実行回数を読み出し、１加算して、加算後の値を縦縞実行回数として再び演出制御用ＲＡＭ３１ｃに記憶する。
【０１２４】
一方、上記判定において縦縞実行回数が実行可能回数に達している（判定結果が肯定）場合、演出制御用ＣＰＵ３１ａは、図１１（ｂ）に示す第４実行期間演出内容決定テーブルＹＴ４２を参照して、第４実行期間にて実行する予告演出の演出内容を決定する。第４実行期間演出内容決定テーブルＹＴ４２では、指定された変動パターン及び特別図柄の種類に応じて、第４実行期間にて実行する予告演出の演出内容を決定する。具体的には、第４実行期間演出内容決定テーブルＹＴ４２では、指定された変動パターン及び特別図柄の種類に関係なく、縦縞演出内容及び横縞演出内容の予告演出を第４実行期間にて実行することが決定されないように選択率が定められている。また、第４実行期間演出内容決定テーブルＹＴ４２では、はずれリーチ演出用の変動パターンが指定された場合、第４実行期間にて、青色演出内容の予告演出を実行することを、赤色演出内容の予告演出を実行することよりも高確率で決定されるように選択率が定められている。その一方で、第４実行期間演出内容決定テーブルＹＴ４２では、大当り演出用の変動パターン及び確変示唆演出用の変動パターンが指定された場合、第４実行期間にて、赤色演出内容の予告演出を実行することを、青色演出内容の予告演出を実行することよりも高確率で決定されるように選択率が定められている。
【０１２５】
なお、演出制御用ＣＰＵ３１ａは、第４実行期間演出内容決定テーブルＹＴ４１，ＹＴ４２を参照して、第４実行期間にて実行する予告演出の演出内容を決定すると、当該第４実行期間にて実行する予告演出の演出内容を特定可能な第４実行期間情報を、図柄変動ゲームが終了するまでの間、演出制御用ＲＡＭ３１ｃに記憶する。
【０１２６】
このように、本実施形態では、第１実行期間〜第４実行期間における予告演出の演出内容を決定する演出制御用ＣＰＵ３１ａが、演出内容決定手段として機能する。また、本実施形態では、「縦縞演出内容」及び「横縞演出内容」が「特定演出内容」となる一方、「青色演出内容」及び「赤色演出内容」が「非特定演出内容」となる。また、本実施形態では、「縦縞演出内容」が「第１特定演出内容」となり、「横縞演出内容」が「第２特定演出内容」となる。また、本実施形態では、「青色演出内容」が「第１非特定演出内容」となり、「赤色演出内容」が「第２非特定演出内容」となる。
【０１２７】
演出制御用ＣＰＵ３１ａは、変動パターン指定コマンドを入力し、確定停止表示させる飾り図柄及び各実行期間における予告演出の演出内容を決定すると、各列の飾り図柄を変動表示させて図柄変動ゲームを開始するように、演出表示装置１１の表示内容を制御する。また、演出制御用ＣＰＵ３１ａは、全図柄停止コマンドを入力すると、決定した飾り図柄の図柄組み合わせを演出表示装置１１に確定停止表示させる。
【０１２８】
また、演出制御用ＣＰＵ３１ａは、図柄変動ゲーム中の第１実行期間において演出制御用ＲＡＭ３１ｃに記憶する第１実行期間情報から特定可能な演出内容で予告演出を実行するように演出表示装置１１の表示内容を制御する。このとき、演出制御用ＣＰＵ３１ａは、擬似連演出を実行させる変動パターンが指定されているとき、演出制御用ＲＡＭ３１ｃに記憶した変動サイクル実行回数を参照し、第１実行期間が何回目の変動サイクルにおける第１実行期間であるかを特定する。そして、演出制御用ＣＰＵ３１ａは、何回目の変動サイクルにおける第１実行期間であるかについて特定すると、当該変動サイクルの第１実行期間にて実行する予告演出の演出内容として第１実行期間情報から特定可能な演出パターンに定められた演出内容で予告演出を実行するように演出表示装置１１の表示内容を制御する。
【０１２９】
また、演出制御用ＣＰＵ３１ａは、図柄変動ゲーム中の第２実行期間において演出制御用ＲＡＭ３１ｃに記憶する第２実行期間情報から特定可能な演出内容で予告演出を実行するように演出表示装置１１の表示内容を制御する。また、演出制御用ＣＰＵ３１ａは、図柄変動ゲーム中の第３実行期間において演出制御用ＲＡＭ３１ｃに記憶する第３実行期間情報から特定可能な演出内容で予告演出を実行するように演出表示装置１１の表示内容を制御する。また、演出制御用ＣＰＵ３１ａは、図柄変動ゲーム中の第４実行期間において演出制御用ＲＡＭ３１ｃに記憶する第４実行期間情報から特定可能な演出内容で予告演出を実行するように演出表示装置１１の表示内容を制御する。このように、本実施形態において、演出表示装置１１の表示内容を制御し、予告演出を実行させる演出制御用ＣＰＵ３１ａが、演出制御手段として機能する。
【０１３０】
ここで、本実施形態における図柄変動ゲームの演出態様について、図１２及び図１３に基づき説明する。
なお、図１２及び図１３に示す図柄変動ゲームは、変動サイクルの回数が「３回」の擬似連演出を実行させる大当り演出用の変動パターンＨＰ１０に基づく図柄変動ゲームであり、当該図柄変動ゲーム終了後には８Ｒ大当り遊技が付与されること（図柄Ｂ）が決定されたものとする。また、１回目の変動サイクルの第１実行期間にて「青色演出内容」、２回目の変動サイクルの第１実行期間にて「赤色演出内容」、３回目（最終回）の変動サイクルの第１実行期間にて「縦縞演出内容」の予告演出を実行することが定められた種類の演出パターンが決定されたものとする。すなわち、演出パターンＥＰ８に分類される種類の演出パターンが決定されたものとする。また、第２実行期間では、「縦縞演出内容」の予告演出を実行することが決定されたものとする。
【０１３１】
本実施形態において、図柄変動ゲーム終了後に８Ｒ大当り遊技が付与される図柄変動ゲームでは、縦縞演出内容の予告演出を２回まで実行することができる一方で、３回以上実行することができない。そのため、第２実行期間以降の第３実行期間及び第４実行期間では、青色演出内容又は赤色演出内容の予告演出を実行するように、各実行期間における予告演出の演出内容が決定される。因みに、第３実行期間では「青色演出内容」の予告演出を実行することが決定され、第４実行期間では「赤色演出内容」の予告演出を実行することが決定されたものとする。
【０１３２】
図１２（ａ）に示すように、図柄変動ゲームが開始するとともに１回目の変動サイクルが開始すると、１回目の変動サイクルの第１実行期間にて、「青色演出内容」の予告演出が実行される。また、１回目の変動サイクルの終了時点では、図１２（ｂ）に示すように、はずれの図柄組み合わせが一旦停止表示される。１回目の変動サイクルが終了すると、２回目の変動サイクルが開始し、図１２（ｃ）に示すように２回目の変動サイクルの第１実行期間にて、「赤色演出内容」の予告演出が実行される。このとき、遊技者は「青色演出内容」よりも大当り期待度の高い「赤色演出内容」の予告演出が実行されたことで大当りへの期待感を高める。また、２回目の変動サイクルの終了時点では、図１２（ｄ）に示すように、はずれの図柄組み合わせが一旦停止表示される。
【０１３３】
２回目の変動サイクルが終了すると、３回目（最終回）の変動サイクルが開始し、図１２（ｅ）に示すように３回目の変動サイクルの第１実行期間にて、「縦縞演出内容」の予告演出が実行される。縦縞演出内容の予告演出が実行されたことで、以降の実行期間にて縦縞演出内容の予告演出が実行されれば、大当り期待度が更に高くなる（大当りとなることを認識できる）ため、以降の実行期間にて実行される予告演出の演出内容に対する注目度を高める。また、遊技者は、「青色演出内容」及び「赤色演出内容」よりも大当り期待度の高い「縦縞演出内容」で予告演出が実行されたことで、大当りへの期待感を高める。
【０１３４】
また、図１３（ａ）に示すように、３回目の変動サイクルにおいてリーチの図柄組み合わせが一旦停止表示されると、第２実行期間にて「縦縞演出内容」の予告演出が実行される。第２実行期間にて縦縞演出内容の予告演出が実行されたことにより、８Ｒ大当り遊技又は１６Ｒ大当り遊技が付与されることを認識することができる。そして、遊技者は以降の実行期間にて３回目の縦縞演出内容の予告演出が実行され、８Ｒ大当り遊技よりも有利な１６Ｒ大当り遊技が付与されることを認識できるか否かについて注目する。
【０１３５】
その後、図１３（ｂ）に示すようにノーマルリーチ演出が実行される。更に、ノーマルリーチ演出からスーパーリーチ演出に発展すると、図１３（ｃ）に示すように、第３実行期間にて「青色演出内容」の予告演出が実行される。また、スーパーリーチ演出の終了直前の第４実行期間では、図１３（ｄ）に示すように、「赤色演出内容」の予告演出が実行される。そして、図１３（ｅ）に示すように、最終的に大当りの図柄組み合わせが確定停止表示される。なお、大当りの図柄組み合わせが確定停止表示されても、確定停止表示された大当りの図柄組み合わせや図柄変動ゲームで実行された予告演出の実行態様から、付与される大当り遊技の種類を特定できないため、１６Ｒ大当り遊技が付与される可能性を期待させることができる。
【０１３６】
以上詳述したように、本実施形態は、以下の効果を有する。
（１）図柄変動ゲームの大当り期待度が高いほど（大当りのときには）多い回数が実行可能回数として定められるようにした。また、図柄変動ゲーム中に特定演出内容（縦縞演出内容又は横縞演出内容）の予告演出を実行する回数が、実行可能回数を超える回数とならないよう、各実行期間における予告演出の演出内容が決定されるようにした。すなわち、図柄変動ゲームの大当り期待度に応じて定められた実行可能回数を超える回数だけの特定演出内容の予告演出が実行されないようにした。これにより、むやみに大当りへの期待感を高めてしまうことを防ぐことができ、遊技に対する興趣の低下も防止することができる。
【０１３７】
（２）図柄変動ゲームの終了時点に近い実行期間（スーパーリーチ演出まで実行する場合には、第４実行期間）ほど、特定演出内容（縦縞演出内容及び横縞演出内容）の予告演出が実行されやすいようにした。これにより、図柄変動ゲームの開始からの実行期間にて特定演出内容の予告演出が実行された回数が少なくても、図柄変動ゲームの終了に近くなれば（図柄変動ゲームが進行するほど）特定演出内容の予告演出が実行される回数が多くなることを、より期待させることができる。
【０１３８】
（３）リーチ演出実行開始前（第１実行期間）とリーチ演出実行開始後（第２実行期間〜第４実行期間）に、それぞれ実行期間を設定するようにした。これにより、リーチ演出実行前までに実行された予告演出が特定演出内容（縦縞演出内容及び横縞演出内容）でなくても、リーチ演出実行後も、実行された特定演出内容の予告演出の回数が増える可能性を期待させることができる。その結果、リーチ演出実行後の予告演出の演出内容にも注目させることができる。
【０１３９】
（４）特定演出内容（縦縞演出内容及び横縞演出内容）の予告演出がたくさん実行されたとき、遊技者は、大当りとなったときにそれなりに良い（有利な）大当り遊技が付与されるのだろうと期待してしまう場合がある。そこで、遊技者にとって有利な第２大当り遊技（例えば、１６Ｒ大当り遊技）が付与される場合には、当該大当り遊技よりも不利な第１大当り遊技（例えば、８Ｒ大当り遊技）が付与される場合よりも、多い回数が実行可能回数として定められるようにした。これにより、特別演出内容の予告演出がたくさん実行されて、第２大当り遊技よりも不利な第１大当り遊技が付与されたとき、せっかく大当りとなったのに興趣が低下してしまうというようなことを防ぐことができる。
【０１４０】
（５）実行期間毎の予告演出を順番に決定するようにするとともに、それまでに特別演出内容（縦縞演出内容）の予告演出を実行させると決定した回数に基づいて予告演出の演出内容を決定するので、実行可能回数を超える回数の特定演出内容（縦縞演出内容）の予告演出を実行しないようにすることができる。また、大量の演出に係るパターンを記憶しなくても、バリエーションに富んだ演出を行うことができる。
【０１４１】
（６）非特定演出内容（青色演出内容又は赤色演出内容）で予告演出が実行されるよりは、特定演出内容（縦縞演出内容）で予告演出が実行された方が大当りを期待できるようにした。特定演出内容の予告演出が１回だけ実行されても、１回も特定演出内容の予告演出が実行されずに非特定演出内容の予告演出だけが実行されるよりは大当りを期待できる。そのため、特定演出内容で予告演出が実行されると、図柄変動ゲームで実行される特定演出内容の予告演出が実行された回数が増えるだけでなく、非特定演出内容で予告演出が実行されるよりも大当りへの期待感を高めることができる。
【０１４２】
（７）非特定演出内容には、大当り期待度の異なる種類の演出内容が複数（青色演出内容及び赤色演出内容）ある。そのため、実行された予告演出の演出内容が非特定演出内容であっても、当該演出内容が大当り期待度の低い第１非特定演出内容（青色演出内容）であるか否か（若しくは、大当り期待度の高い第２非特定演出内容（赤色演出内容）であるか否か）について注目させることができる。
【０１４３】
（８）大当りとなる図柄変動ゲームでのみ、第２特定演出内容（横縞演出内容）の予告演出を実行し得るようにした。これにより、図柄変動ゲームの最終の実行期間までに第１特定演出内容（縦縞演出内容）及び第２特定演出内容の予告演出が実行されていない場合であっても、最終の実行期間にて第２特定演出内容の予告演出が実行されることを期待させることができる。
【０１４４】
（９）大当りとなる際には、はずれとなるときと比較して、擬似連演出を実行させたときの変動サイクルの回数が多くなる変動パターンが決定されやすいようにした。すなわち、大当りとなる図柄変動ゲームでは、変動サイクルの回数が多くなり易いため、第１実行期間が多く設定され、リーチの図柄組み合わせが一旦停止表示されるまでに実行される予告演出の回数が多くなり易い。この結果、第１実行期間にて非特定演出内容（青色演出内容及び赤色演出内容）の予告演出が実行されたとしても、リーチの図柄組み合わせが一旦停止表示されるまでに予告演出が実行される回数が多ければ、遊技者の大当りへの期待感を高めることができる。そのため、非特定演出内容の予告演出が実行されたからといって、特定演出内容（縦縞演出内容又は横縞演出内容）の予告演出が実行されないことに対する興趣の低下を防ぐことができる。
【０１４５】
（１０）小当り遊技（又は８Ｒ短縮大当り遊技）の開放態様で大入賞口１８が開閉動作した場合、当該開放態様からは当り遊技終了後に確変状態が付与されたか否かについて秘匿することができる。そのため、小当り遊技と８Ｒ短縮大当り遊技の何れが付与されたか否かについて特定できていない場合、つまり、確変状態が付与されたか否かについて特定できていない場合、遊技者は、確変状態が付与されていないときであっても、確変状態が付与されたことを期待して遊技を継続しなければならない。しかしながら、図柄変動ゲーム終了後に小当り遊技が付与される図柄変動ゲームでは縦縞演出内容の実行可能回数を０回とする一方で、図柄変動ゲーム終了後に８Ｒ短縮大当り遊技が付与される図柄変動ゲームでは縦縞演出内容の実行可能回数を１回とした。これにより、図柄変動ゲームにおいて縦縞演出内容の予告演出が１回でも実行された場合、その図柄変動ゲーム終了後に、小当り遊技（又は８Ｒ短縮大当り遊技）の開放態様で大入賞口１８が開放された場合、付与された当り遊技が８Ｒ短縮大当り遊技であることを特定することができる。その結果、遊技者は、確変状態が付与されたことを特定して、遊技を継続することができる。
【０１４６】
（１１）演出パターンＥＰ１８〜ＥＰ２０は、リーチの図柄組み合わせが一旦停止表示されるよりも前に、大当りとなることを認識できるように設定されている。具体的には、演出パターンＥＰ１８は、大当りとなることを特定可能となるように、縦縞演出内容の予告演出を２回実行することが設定されている。また、演出パターンＥＰ１９は、１６Ｒ大当り遊技が付与されることを特定可能となるように、縦縞演出内容の予告演出を３回実行することが設定されている。また、演出パターンＥＰ２０は、１６Ｒ大当り遊技が付与されることを特定可能となるように、横縞演出内容の予告演出を実行することが設定されている。そして、大当りとなることを認識できる回数（本実施形態では、５回）の擬似連演出を実行させる変動パターンが指定された場合、リーチの図柄組み合わせが一旦停止表示されるよりも前に、大当りとなることを認識できるように設定された演出パターンＥＰ１８〜ＥＰ２０の中から演出パターンが決定されるようにした。これにより、擬似連演出が実行されたときの変動サイクルの回数から大当りとなることが認識できる図柄変動ゲームでは、リーチの図柄組み合わせが一旦停止表示されるよりも前に実行される予告演出の演出内容からも大当りとなることを確実に特定することができる。また、予告演出の演出内容に、より注目させることができる。
【０１４７】
（１２）各実行期間における予告演出の演出内容を、図柄変動ゲームの実行開始時点に近い第１実行期間から順番に、決定されるようにした。このように、図柄変動ゲームの開始時点に近い実行期間から予告演出の演出内容が決定されるので、図柄変動ゲームの終了時点に近い実行期間にて実行する予告演出の演出内容を決定する際、既に実行可能回数だけ特定演出内容（縦縞演出内容）の予告演出の実行を決定している場合がある。すなわち、図柄変動ゲームの開始時点に近い実行期間までに特定演出内容の予告演出が実行される可能性がある。そして、図柄変動ゲームの開始時点に近い実行期間において特定演出内容の予告演出が実行されると、更に特定演出内容の予告演出が実行される回数が増えるのではないかと、以降の実行期間における予告演出の演出内容に、より注目させることができる。
【０１４８】
（１３）スーパーリーチ演出が実行される図柄変動ゲームにおける最終の実行期間となる第４実行期間を、スーパーリーチ演出の終了直前（図柄変動ゲームの終了直前）のタイミングとした。これにより、図柄変動ゲームの終了直前まで、演出表示装置１１に表示される演出（予告演出及び当該演出内容など）に注目させることができる。
【０１４９】
なお、上記実施形態は、次のような別の実施形態（別例）にて具体化できる。
・上記実施形態において、大当り遊技の有利不利によって、実行可能回数の多少を変更しなくても良い。すなわち、１６Ｒ大当り遊技が付与される場合であっても、８Ｒ大当り遊技が付与される場合であっても、３回まで、縦縞演出内容の予告演出を実行可能に構成しても良い。但し、８Ｒ大当り遊技（他の大当り遊技よりも不利な大当り遊技）が付与される場合の実行可能回数が、１６Ｒ大当り遊技（有利な大当り遊技）が付与される場合の実行可能回数よりも少ないことが望ましい。
【０１５０】
・上記実施形態において、小当り遊技が付与される場合、８Ｒ短縮大当り遊技が付与される場合の実行可能回数と同じ実行可能回数を設定するようにしても良い。これにより、図柄変動ゲーム中に実行された予告演出の演出内容からも小当り遊技と８Ｒ短縮大当り遊技の何れが付与されたか（確変状態の付与態様）について、秘匿することができる。
【０１５１】
・上記実施形態において、はずれの図柄変動ゲームであっても、複数回（例えば、３回）まで、縦縞演出内容の予告演出を実行可能に構成しても良い。但し、大当りの図柄変動ゲームで縦縞演出内容の予告演出を実行可能な実行可能回数よりも、はずれの図柄変動ゲームで縦縞演出内容の予告演出を実行可能な実行可能回数が少ないことが好ましい。
【０１５２】
・上記実施形態において、はずれの図柄変動ゲームであっても、横縞演出内容の予告演出を実行可能に構成しても良い。すなわち、横縞演出内容の予告演出が実行された時点で大当りとなることを特定可能に構成しなくても良い。但し、大当りの図柄変動ゲームで横縞演出内容の予告演出を実行可能な実行可能回数よりも、はずれの図柄変動ゲームで横縞演出内容の予告演出を実行可能な実行可能回数が少ないことが好ましい。この場合、横縞演出内容の予告演出の実行を決定する毎に、図柄変動ゲームにて横縞演出内容の予告演出の実行を決定した回数を示す横縞決定回数を記憶し、当該横縞決定回数が実行可能回数を超えないように予告演出の演出内容を決定しなければならない。
【０１５３】
・上記実施形態において、確変状態を付与する際、次に大当り遊技が付与するまでの間、確変状態を付与するようにしても良い。このとき、実質的に次の大当り遊技が付与するまでの間となる回数（例えば、１００００回）を、確変付与回数として設定するようにしても良い。このような場合、大当り遊技終了後に確変状態を付与しない（非確変状態を付与する）大当り遊技を備えることが好ましい。そして、大当り遊技終了後に確変状態が付与される大当り遊技（確変大当り遊技）を、大当り遊技終了後に確変状態が付与されない大当り遊技（非確変大当り遊技）よりも有利な大当り遊技として定めても良い。
【０１５４】
・上記実施形態において、大当り遊技終了後に変短状態を付与する大当り遊技と、変短状態を付与しない大当り遊技を備え、変短状態が付与される大当り遊技を有利な大当り遊技として定めても良い。
【０１５５】
・上記実施形態において、例えば、１６Ｒ大当り遊技終了後には、確変付与回数と変短付与回数に同じ回数（上記実施形態では、５０回）を設定したが、当該回数を異ならせても良い。例えば、変短付与回数として設定する回数を、確変付与回数として設定する回数よりも多く（又は少なく）しても良い。
【０１５６】
・上記実施形態において、１回の変動サイクルにおいて飾り図柄が変動表示されてから一旦停止表示されるまで（擬似連演出を実行しない場合及び最終回の変動サイクルでは、飾り図柄の変動表示開始からリーチの図柄組み合わせを一旦停止表示させるまで）に、複数回第１実行期間を設定しても良い。この場合、各第１実行期間毎の予告演出の演出内容を縦縞実行回数に基づいて、実行可能回数を超えないように決定しなければならない。
【０１５７】
・上記実施形態において、小当り遊技を付与可能に構成しなくても良い。この場合、小当り抽選を行わなくても良い。この場合、８Ｒ短縮大当り遊技を付与可能に構成しなくても良い。
【０１５８】
・上記実施形態において、擬似連演出を実行する際、リーチの図柄組み合わせが一旦停止表示されるまでに複数回縦縞演出内容の予告演出を実行させることを可能に構成したが、リーチの図柄組み合わせが一旦停止表示されるまでに実行される縦縞演出内容及び横縞演出内容の回数を１回までとしても良い。すなわち、上記実施形態において、演出パターンＥＰ９，ＥＰ１０，ＥＰ１５，ＥＰ１６，ＥＰ１８，ＥＰ１９に分類される演出パターンを決定可能に構成しなくても良い。この場合、リーチの図柄組み合わせが一旦停止表示されるまでに、縦縞演出内容の予告演出が実行された回数から大当りとなることを認識できないようになるため、リーチの図柄組み合わせが一旦停止表示されてから実行される予告演出の演出内容に、より注目させることができる。
【０１５９】
・上記実施形態において、各実行期間の予告演出の演出内容を順番に決定したが、それらをパターン化して、当該パターンを決定することで、第１実行期間〜第４実行期間における予告演出の演出内容を一括して決定できるようにしても良い。このようにすることで、演出制御用ＣＰＵ３１ａが各実行期間毎の予告演出の演出内容を決定するよりも、制御的負担を軽減することができる。このようにした場合、例えば、実行可能回数が「２回」と定められた図柄変動ゲームを実行する際、図柄変動ゲームの全ての実行期間のうち０〜２つの実行期間にて縦縞演出内容の予告演出を実行することが定められたパターンが決定されるようにしなければならない。すなわち、パターンを決定する場合であっても、図柄変動ゲームを通して実行される縦縞演出内容の予告演出の回数が、実行可能回数を超えないようにしなければならない。
【０１６０】
・上記実施形態において、横縞演出内容の予告演出を実行することが設定された演出パターンでは、横縞演出内容の予告演出を実行する最終回以外の変動サイクルでは、青色演出内容又は赤色演出内容の予告演出を実行するようにしたが、縦縞演出内容や横縞演出内容を実行する種類の演出パターンを備えても良い。
【０１６１】
・上記実施形態において、図柄変動ゲームの終了時点に近い実行期間から順番に、予告演出の演出内容を決定するようにしても良い。すなわち、スーパーリーチ演出を演出内容に含む変動パターンが指定された場合、演出制御用ＣＰＵ３１ａは、第４実行期間→第３実行期間→第２実行期間→第１実行期間の順に、予告演出の演出内容を決定するようにしても良い（第１実行期間における予告演出の演出内容を最後に決定する）。このようにしたとき、縦縞実行回数の値が実行可能回数に達している場合、それ以上縦縞演出内容の予告演出が実行されないように、青色演出内容又は赤色演出内容を第１実行期間にて実行する予告演出の演出内容として決定されるようにしなければならない。
【０１６２】
このように、図柄変動ゲームの終了時点に近い実行期間から予告演出の演出内容が決定されるようにした場合、図柄変動ゲームの開始時点に近い実行期間における予告演出の演出内容を決定する際、既に実行可能回数だけの縦縞演出内容の実行が決定されていて、縦縞演出内容の予告演出の実行を決定できない場合がある。そのため、図柄変動ゲームが開始してから、図柄変動ゲームの開始時点に近い実行期間において縦縞演出内容の予告演出が実行されなくても、図柄変動ゲームの終了時点に近い実行期間にて縦縞演出内容の予告演出が実行されることを、より期待させることができる。
【０１６３】
・上記実施形態において、特定の実行期間（例えば、第３実行期間）における予告演出の演出内容を決定した後、その他の実行期間における予告演出の演出内容をそれぞれ決定するよう変更しても良い。
【０１６４】
・上記実施形態において、第２実行期間〜第４実行期間における予告演出の演出内容を決定する際、図柄Ａ及び図柄Ｄが指定された場合には、実行可能回数と縦縞実行回数を比較及び判定しないようにしたが、比較及び判定しても良い。そして、図柄Ａが指定されたときに、縦縞実行回数が実行可能回数に達しているとき（縦縞実行回数＝３以上）は、達していないときよりも高い確率で、縦縞演出内容又は横縞演出内容の予告演出の実行が決定されるようにしても良い。
【０１６５】
・上記実施形態において、演出パターンを決定することで、各変動サイクルにおける第１実行期間における予告演出の演出内容を決定するようにしたが、変動サイクルの第１実行期間毎に予告演出の演出内容を決定するようにしても良い。但し、最終回の変動サイクルにおける第１実行期間にて実行される予告演出の演出内容が示唆する大当り期待度が、最終回以外の変動サイクルにおける第１実行期間にて実行される予告演出の演出内容が示唆する大当り期待度以上となることが望ましい。そのため、最終回の変動サイクルから順番に、第１実行期間における予告演出の演出内容を決定することが望ましい。このとき、演出制御用ＣＰＵ３１ａは、今回予告演出の演出内容を決定する変動サイクルの次の変動サイクルにおける第１実行期間にて実行すると決定した演出内容が示唆する大当り期待度以下の大当り期待度を示唆する演出内容を、今回予告演出の演出内容を決定する変動サイクルにおける第１実行期間にて実行する予告演出の演出内容として決定する。なお、図柄変動ゲームで実行される縦縞演出内容の予告演出の回数が、実行可能回数を超えないように、演出制御用ＣＰＵ３１ａは、縦縞実行回数が実行可能回数に達している場合には、青色演出内容又は赤色演出内容を実行する予告演出の演出内容として決定しなければならない。
【０１６６】
・上記実施形態において、縦縞演出内容を含む複数の演出内容の中から予告演出の演出内容を決定する際、大当りのときの方が、はずれのときと比較して高い確率で縦縞演出内容が選択されるようにしたが、同じであっても良い。すなわち、大当りとはずれのときで、縦縞演出内容の予告演出が実行される確率を異ならせなくても良い。
【０１６７】
・上記実施形態において、図柄変動ゲームの終了時点に近い実行期間では、図柄変動ゲームの開始時点に近い実行期間と比較して、縦縞演出内容の予告演出を実行することが決定されやすいようにしたが、実行期間毎に縦縞演出内容の予告演出を実行することが決定される確率を変更しなくても良い。また、図柄変動ゲームの開始時点に近い実行期間では、図柄変動ゲームの終了時点に近い実行期間と比較して、縦縞演出内容の予告演出を実行することが決定されやすいように変更しても良い。
【０１６８】
・上記実施形態において、図柄変動ゲームにおける実行期間開始時点において、当該実行期間における予告演出の演出内容を、縦縞実行回数及び実行可能回数を参照して、決定するようにしても良い。
【０１６９】
・上記実施形態において、実行期間の数及び時点を変更しても良い。例えば、全ての実行期間をリーチ演出実行開始後に設定するよう変更しても良い。また、全ての実行期間をリーチ演出実行開始前に設定するよう変更しても良い。
【０１７０】
・上記実施形態において、非特定演出内容として青色演出内容と赤色演出内容を備えたが、例えば、青色演出内容のみでも良い。同様に、上記実施形態において、特定演出内容として縦縞演出内容と横縞演出内容を備えたが、例えば、縦縞演出内容のみでも良い。
【０１７１】
・上記実施形態において、縦縞演出内容の予告演出が実行された実行期間の種類を縦縞実行回数としてカウントするようにしても良い。例えば、複数回の変動サイクルのうち２回以上の変動サイクルにおける第１実行期間にて縦縞演出内容の予告演出が実行された場合であっても、縦縞実行回数として１回をカウントするようにしても良い。
【０１７２】
・上記実施形態において特定列の飾り図柄が一旦停止表示されるまでを１回の変動サイクルとしても良い。例えば、全列の飾り図柄が変動表示されてから左列及び右列（特定列）の飾り図柄が一旦停止表示されるまでを１回の変動サイクルとしても良い。
【０１７３】
・上記実施形態において実行可能回数を特別図柄の種類毎に定めたが、例えば、変動パターンの種類毎に実行可能回数を定めても良い。この場合、リーチ演出が実行されないこと、又はノーマルリーチ演出のみが実行されることを演出内容に含むはずれ演出用の変動パターンには実行可能回数として「０回」を定める一方で、スーパーリーチ演出を演出内容に含む変動パターンには実行可能回数として「１回」を定めるようにしても良い。また、大当りのときであっても、変動サイクルの回数が「５回」の擬似連演出を実行させる変動パターンには実行可能回数として「５回」を定める一方で、変動サイクルの回数が「２回」の擬似連演出を実行させる変動パターンには実行可能回数として「１回」を定めても良い。
【０１７４】
次に、上記実施形態及び別例から把握できる技術的思想を以下に追記する。
（イ）前記演出内容決定手段は、前記図柄変動ゲームの終了時点に近い実行期間から図柄変動ゲームの開始時点に近い実行期間にかけて順番に、予告演出の演出内容を決定する。
【０１７５】
（ロ）特定演出内容には、大当りとなるか否かに係らず前記演出内容決定手段が予告演出の演出内容として決定可能な第１特定演出内容と、大当りとなるときにのみ前記演出内容決定手段が予告演出の演出内容として決定可能な第２特定演出内容がある。
【符号の説明】
【０１７６】
ＧＨ…画像表示部、１１…演出表示装置、１２…特別図柄表示装置、１８…大入賞口、３０…主制御基板、３０ａ…主制御用ＣＰＵ、３０ｂ…主制御用ＲＯＭ、３０ｃ…主制御用ＲＡＭ、３１…演出制御基板、３１ａ…演出制御用ＣＰＵ、３１ｂ…演出制御用ＲＯＭ、３１ｃ…演出制御用ＲＡＭ。
【図１】
0005925424.tif 000002
【図２】
0005925424.tif 000003
【図３】
0005925424.tif 000004
【図４】
0005925424.tif 000005
【図５】
0005925424.tif 000006
【図６】
0005925424.tif 000007
【図７】
0005925424.tif 000008
【図８】
0005925424.tif 000009
【図９】
0005925424.tif 000010
【図１０】
0005925424.tif 000011
【図１１】
0005925424.tif 000012
【図１２】
0005925424.tif 000013
【図１３】
0005925424.tif 000014